(57)【要約】  ワイヤレス通信ネットワーク中でマルチキャストセッションに加わるために搬送波を切り替えることに向けられている実施形態を提供する。通知されたマルチキャストセッションに登録するための要求は、アクセス端末からアクセスネットワークに送られる（５２０）。アクセス端末は、第１の搬送波上にトラフィックチャネルを有する。アクセスネットワークは、通知されたマルチキャストセッションが第１の搬送波上で運ばれているか否かを決定する。所定のマルチキャストセッションは第１の搬送波上で運ばれておらず、第２の搬送波上で運ばれていると決定ステップが決定した場合に、アクセスネットワークは、第２の搬送波上のトラフィックチャネルをアクセス端末に割り振るトラフィックチャネル割り当てメッセージを送信する（５３０）。したがって、アクセス端末は、第２の搬送波上のトラフィックチャネルが割り振られるための接続要求を送る必要がない。【選択図】図５
2011517901.tif 000002
【特許請求の範囲】
【請求項１】
ワイヤレス通信ネットワーク中のマルチキャストセッションをサポートする方法において、
アクセス端末には第１の搬送波上のトラフィックチャネルが割り振られており、所定のマルチキャストセッションに登録するための要求を前記アクセス端末から受信することと、
前記所定のマルチキャストセッションが前記第１の搬送波上で運ばれているか否かを決定することと、
前記所定のマルチキャストセッションは前記第１の搬送波上で運ばれておらず、第２の搬送波上で運ばれていると前記決定ステップが決定した場合に、前記第２の搬送波上のトラフィックチャネルを前記アクセス端末に割り振るトラフィックチャネル割り当てメッセージを送信することとを含む方法。
【請求項２】
前記トラフィックチャネル割り当てメッセージの前記送信の後に、前記第２の搬送波上で前記アクセス端末にスケジューリングメッセージを送信することをさらに含み、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項１記載の方法。
【請求項３】
前記スケジューリングメッセージは、前記所定のマルチキャストセッションに関係するブロードキャストおよびマルチキャストサービス（ＢＣＭＣＳ）フロー識別子（ＩＤ）をリストアップすることにより前記所定のマルチキャストセッションを識別する、ブロードキャストオーバーヘッドメッセージ（ＢＯＭ）であり、前記ＢＯＭは、前記リストアップされたＢＣＭＣＳフローＩＤに関係する、インターレース多重化（ＩＭ）対と、送信フォーマットとをさらに含む請求項２記載の方法。
【請求項４】
少なくとも前記アクセス端末の担当セクター内で、前記所定のマルチキャストセッションに関係するマルチキャストメッセージを前記第２の搬送波上で送信することをさらに含む請求項１記載の方法。
【請求項５】
前記所定のマルチキャストセッションを通知する、前記第１の搬送波上で以前に送られた通知メッセージに応答して、前記所定のマルチキャストセッションに登録するための要求を前記アクセス端末から受信する請求項１記載の方法。
【請求項６】
前記所定のマルチキャストセッションを識別し、前記所定のマルチキャストセッションが前記第２の搬送波上で運ばれていることを示す、前記第１の搬送波上で以前に送られたスケジューリングメッセージに応答して、前記所定のマルチキャストセッションに登録するための要求を前記アクセス端末から受信する請求項１記載の方法。
【請求項７】
前記以前に送られたスケジューリングメッセージは、前記所定のマルチキャストセッションに関係するブロードキャストおよびマルチキャストサービス（ＢＣＭＣＳ）フロー識別子（ＩＤ）をリストアップすることにより前記所定のマルチキャストセッションを識別する、ブロードキャストオーバーヘッドメッセージ（ＢＯＭ）である請求項６記載の方法。
【請求項８】
前記送信ステップは、前記第１の搬送波上で前記トラフィックチャネル割り当てメッセージを送信する請求項１記載の方法。
【請求項９】
前記第２の搬送波が少なくとも１つの利用可能なトラフィックチャネルを含むか否かを決定することをさらに含む請求項１記載の方法。
【請求項１０】
前記第２の搬送波が少なくとも１つの利用可能なトラフィックチャネルを含むと前記決定ステップが決定した後にのみ、前記送信ステップが実行される請求項９記載の方法。
【請求項１１】
前記トラフィックチャネル割り当てメッセージの前記送信の前に、前記第１の搬送波上で前記アクセス端末にスケジューリングメッセージを送信することをさらに含み、前記スケジューリングメッセージは、前記所定のマルチキャストセッションを識別し、前記所定のマルチキャストセッションが前記第２の搬送波上で運ばれていることを示す請求項１記載の方法。
【請求項１２】
前記受信ステップは、前記スケジューリングメッセージに応答して、前記登録するための要求を受信する請求項１１記載の方法。
【請求項１３】
前記所定のマルチキャストセッションが前記第１の搬送波上で運ばれておらず、前記第２の搬送波上で運ばれていると前記決定ステップが決定した場合にのみ、前記送信ステップが実行される請求項１記載の方法。
【請求項１４】
前記所定のマルチキャストセッションに登録するための要求は、ブロードキャストおよびマルチキャストサービス（ＢＣＭＣＳ）フロー登録メッセージである請求項１記載の方法。
【請求項１５】
前記第２の搬送波上の前記トラフィックチャネルが割り振られるための接続要求を前記アクセス端末が送る必要がないように、前記送信ステップを実行するための要求として、前記所定のマルチキャストセッションに登録するための要求が解釈される請求項１記載の方法。
【請求項１６】
ワイヤレス通信ネットワーク中のマルチキャストセッションに参加するために、搬送波を切り替える方法において、
アクセス端末には第１の搬送波上のトラフィックチャネルが割り振られており、所定のマルチキャストセッションに登録するための要求を前記アクセス端末から送ることと、
前記所定のマルチキャストセッションが前記第１の搬送波上で運ばれておらず、第２の搬送波上で運ばれている場合に、前記第２の搬送波上のトラフィックチャネルを前記アクセス端末に割り振るトラフィックチャネル割り当て（ＴＣＡ）メッセージを受信することとを含む方法。
【請求項１７】
前記第２の搬送波に同調することをさらに含む請求項１６記載の方法。
【請求項１８】
前記第２の搬送波上でスケジューリングメッセージを受信することをさらに含み、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項１７記載の方法。
【請求項１９】
前記スケジューリングメッセージは、前記所定のマルチキャストセッションに関係するブロードキャストおよびマルチキャストサービス（ＢＣＭＣＳ）フロー識別子（ＩＤ）をリストアップすることにより前記所定のマルチキャストセッションを識別する、ブロードキャストオーバーヘッドメッセージ（ＢＯＭ）であり、前記ＢＯＭは、前記リストアップされたＢＣＭＣＳフローＩＤに関係する、インターレース多重化（ＩＭ）対と、送信フォーマットとをさらに含む請求項１８記載の方法。
【請求項２０】
前記第１の搬送波上の前記トラフィックチャネルを通して運ばれる前記アクセス端末における通信セッションを前記第２のチャネル上の前記トラフィックチャネルに遷移することをさらに含み、前記第２のチャネル上の前記トラフィックチャネルは、前記受信したＴＣＡメッセージにより割り振られる請求項１７記載の方法。
【請求項２１】
前記所定のマルチキャストセッションに関係するマルチキャストメッセージを前記第２の搬送波のダウンリンクチャネル上で受信することと、
前記受信したスケジューリングメッセージに基づいて、前記受信したマルチキャストメッセージをデコードすることとをさらに含む請求項１８記載の方法。
【請求項２２】
前記所定のマルチキャストセッションを通知する、前記第１の搬送波上で以前に受信した通知メッセージに応答して、前記送るステップが実行される請求項１６記載の方法。
【請求項２３】
前記所定のマルチキャストセッションを識別し、前記所定のマルチキャストセッションが前記第２の搬送波上で運ばれていることを示す、前記第１の搬送波上で以前に受信したスケジューリングメッセージに応答して、前記送るステップが実行される請求項１６記載の方法。
【請求項２４】
前記スケジューリングメッセージは、前記所定のマルチキャストセッションに関係するブロードキャストおよびマルチキャストサービス（ＢＣＭＣＳ）フロー識別子（ＩＤ）をリストアップすることにより前記所定のマルチキャストセッションを識別する、ブロードキャストオーバーヘッドメッセージ（ＢＯＭ）である請求項２３記載の方法。
【請求項２５】
前記第１の搬送波上で前記ＴＣＡメッセージを受信する請求項１６記載の方法。
【請求項２６】
前記ＴＣＡメッセージを受信する前に、前記所定のマルチキャストセッションを識別し、前記所定のマルチキャストセッションが前記第２の搬送波上で運ばれていることを示すスケジューリングメッセージを、前記第１の搬送波上で受信することをさらに含む請求項１６記載の方法。
【請求項２７】
前記受信したスケジューリングメッセージに応答して、前記送るステップが前記登録するための要求を送る請求項２６記載の方法。
【請求項２８】
前記送るステップの後に、所定のタイマー期間を有するタイマーを開始することをさらに含む請求項１６記載の方法。
【請求項２９】
前記ＴＣＡメッセージを受信する前に前記タイマーが満期になった場合に、前記第２の搬送波上のトラフィックチャネルを割り振るＴＣＡメッセージを受信する前に、前記第１の搬送波上のトラフィックチャネルを解放することをさらに含む請求項２８記載の方法。
【請求項３０】
前記タイマーが満期になる前に、前記第２の搬送波上のトラフィックチャネルを割り振るＴＣＡメッセージを受信する請求項２８記載の方法。
【請求項３１】
前記第２の搬送波に同調することと、
前記第１の搬送波上の前記トラフィックチャネルを通して運ばれる前記アクセス端末における通信セッションを前記第２のチャネル上の前記トラフィックチャネルに遷移することとをさらに含む請求項３０記載の方法。
【請求項３２】
前記所定のマルチキャストセッションに登録するための要求は、ブロードキャストおよびマルチキャストサービス（ＢＣＭＣＳ）フロー登録メッセージである請求項１６記載の方法。
【請求項３３】
前記第２の搬送波上の前記トラフィックチャネルが割り振られるための接続要求を前記アクセス端末が送る必要がないように、前記第１の送信ステップを実行するための要求として、前記所定のマルチキャストセッションに登録するための要求がアクセスネットワークにおいて解釈される請求項１６記載の方法。
【請求項３４】
ワイヤレス通信ネットワーク中のアクセスネットワークにおいて、
アクセス端末には第１の搬送波上のトラフィックチャネルが割り振られており、所定のマルチキャストセッションに登録するための要求を前記アクセス端末から受信する手段と、
前記所定のマルチキャストセッションが前記第１の搬送波上で運ばれているか否かを決定する手段と、
前記所定のマルチキャストセッションは前記第１の搬送波上で運ばれておらず、第２の搬送波上で運ばれていると前記決定する手段が決定した場合に、前記第２の搬送波上のトラフィックチャネルを前記アクセス端末に割り振るトラフィックチャネル割り当てメッセージを送信する手段とを具備するアクセスネットワーク。
【請求項３５】
前記トラフィックチャネル割り当てメッセージの前記送信の後に、前記第２の搬送波上で前記アクセス端末にスケジューリングメッセージを送信する手段をさらに具備し、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項３４記載のアクセスネットワーク。
【請求項３６】
少なくとも前記アクセス端末の担当セクター内で、前記所定のマルチキャストセッションに関係するマルチキャストメッセージを前記第２の搬送波上で送信する手段をさらに具備する請求項３４記載のアクセスネットワーク。
【請求項３７】
前記トラフィックチャネル割り当てメッセージの前記送信の前に、前記第１の搬送波上で前記アクセス端末にスケジューリングメッセージを送信する手段をさらに具備し、前記スケジューリングメッセージは、前記所定のマルチキャストセッションを識別し、前記所定のマルチキャストセッションが前記第２の搬送波上で運ばれていることを示す請求項３４記載のアクセスネットワーク。
【請求項３８】
ワイヤレス通信ネットワーク中のアクセス端末において、
アクセス端末には第１の搬送波上のトラフィックチャネルが割り振られており、所定のマルチキャストセッションに登録するための要求を送る手段と、
前記所定のマルチキャストセッションが前記第１の搬送波上で運ばれておらず、第２の搬送波上で運ばれている場合に、前記第２の搬送波上のトラフィックチャネルを前記アクセス端末に割り振るトラフィックチャネル割り当て（ＴＣＡ）メッセージを受信する手段とを具備するアクセス端末。
【請求項３９】
前記第２の搬送波に同調する手段をさらに具備する請求項３８記載のアクセス端末。
【請求項４０】
前記第１の搬送波上の前記トラフィックチャネルを通して運ばれる前記アクセス端末における通信セッションを前記第２のチャネル上の前記トラフィックチャネルに遷移する手段をさらに具備し、前記第２のチャネル上の前記トラフィックチャネルは、前記受信したＴＣＡメッセージにより割り振られる請求項３９記載のアクセス端末。
【請求項４１】
前記第２の搬送波上でスケジューリングメッセージを受信する手段をさらに具備し、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項３９記載のアクセス端末。
【請求項４２】
前記所定のマルチキャストセッションに関係するマルチキャストメッセージを前記第２の搬送波のダウンリンクチャネル上で受信する手段と、
前記受信したスケジューリングメッセージに基づいて、前記受信したマルチキャストメッセージをデコードする手段とをさらに具備する請求項３９記載のアクセス端末。
【請求項４３】
ワイヤレス通信ネットワーク中のアクセスネットワークにおいて、
アクセス端末には第１の搬送波上のトラフィックチャネルが割り振られており、所定のマルチキャストセッションに登録するための要求を前記アクセス端末から受信するように構成されている論理と、
前記所定のマルチキャストセッションが前記第１の搬送波上で運ばれているか否かを決定するように構成されている論理と、
前記所定のマルチキャストセッションは前記第１の搬送波上で運ばれておらず、第２の搬送波上で運ばれていると前記決定するように構成されている論理が決定した場合に、前記第２の搬送波上のトラフィックチャネルを前記アクセス端末に割り振るトラフィックチャネル割り当てメッセージを送信するように構成されている論理とを具備するアクセスネットワーク。
【請求項４４】
前記トラフィックチャネル割り当てメッセージの前記送信の後に、前記第２の搬送波上で前記アクセス端末にスケジューリングメッセージを送信するように構成されている論理をさらに具備し、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項４３記載のアクセスネットワーク。
【請求項４５】
少なくとも前記アクセス端末の担当セクター内で、前記所定のマルチキャストセッションに関係するマルチキャストメッセージを前記第２の搬送波上で送信するように構成されている論理をさらに具備する請求項４３記載のアクセスネットワーク。
【請求項４６】
前記トラフィックチャネル割り当てメッセージの前記送信の前に、前記第１の搬送波上で前記アクセス端末にスケジューリングメッセージを送信するように構成されている論理をさらに具備し、前記スケジューリングメッセージは、前記所定のマルチキャストセッションを識別し、前記所定のマルチキャストセッションが前記第２の搬送波上で運ばれていることを示す請求項４３記載のアクセスネットワーク。
【請求項４７】
ワイヤレス通信ネットワーク中のアクセス端末において、
前記アクセス端末には第１の搬送波上のトラフィックチャネルが割り振られており、所定のマルチキャストセッションに登録するための要求を送るように構成されている論理と、
前記所定のマルチキャストセッションが前記第１の搬送波上で運ばれておらず、第２の搬送波上で運ばれている場合に、前記アクセス端末に前記第２の搬送波上のトラフィックチャネルを割り振るトラフィックチャネル割り当て（ＴＣＡ）メッセージを受信するように構成されている論理とを具備するアクセス端末。
【請求項４８】
前記第２の搬送波に同調するように構成されている論理をさらに具備する請求項４７記載のアクセス端末。
【請求項４９】
前記第１の搬送波上の前記トラフィックチャネルを通して運ばれる前記アクセス端末における通信セッションを前記第２のチャネル上の前記トラフィックチャネルに遷移するように構成されている論理をさらに具備し、前記第２のチャネル上の前記トラフィックチャネルは、前記受信したＴＣＡメッセージにより割り振られる請求項４８記載のアクセス端末。
【請求項５０】
前記第２の搬送波上でスケジューリングメッセージを受信するように構成されている論理をさらに具備し、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項４８記載のアクセス端末。
【請求項５１】
前記所定のマルチキャストセッションに関係するマルチキャストメッセージを前記第２の搬送波のダウンリンクチャネル上で受信するように構成されている論理と、
前記受信したスケジューリングメッセージに基づいて、前記受信したマルチキャストメッセージをデコードするように構成されている論理とをさらに具備する請求項４８記載のアクセス端末。
【請求項５２】
ワイヤレス通信ネットワーク中のアクセスネットワークにより実行されるときに、前記アクセスネットワークに動作を実行させる命令を含むコンピュータ読み取り可能媒体において、
アクセス端末には第１の搬送波上のトラフィックチャネルが割り振られており、
前記命令は、
所定のマルチキャストセッションに登録するための要求を前記アクセス端末から受信するためのプログラムコードと、
前記所定のマルチキャストセッションが前記第１の搬送波上で運ばれているか否かを決定するためのプログラムコードと、
前記所定のマルチキャストセッションは前記第１の搬送波上で運ばれておらず、第２の搬送波上で運ばれていると前記決定するためのプログラムコードが決定した場合に、前記第２の搬送波上のトラフィックチャネルを前記アクセス端末に割り振るトラフィックチャネル割り当てメッセージを送信するためのプログラムコードとを含むコンピュータ読み取り可能媒体。
【請求項５３】
前記トラフィックチャネル割り当てメッセージの前記送信の後に、前記第２の搬送波上で前記アクセス端末にスケジューリングメッセージを送信するように構成されている論理をさらに具備し、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項５２記載のコンピュータ読み取り可能媒体。
【請求項５４】
少なくとも前記アクセス端末の担当セクター内で、前記所定のマルチキャストセッションに関係するマルチキャストメッセージを前記第２の搬送波上で送信するためのプログラムコードをさらに含む請求項５３記載のコンピュータ読み取り可能媒体。
【請求項５５】
前記トラフィックチャネル割り当てメッセージの前記送信の前に、前記第１の搬送波上で前記アクセス端末にスケジューリングメッセージを送信するためのプログラムコードをさらに含み、前記スケジューリングメッセージは、前記所定のマルチキャストセッションを識別し、前記所定のマルチキャストセッションが前記第２の搬送波上で運ばれていることを示す請求項５３記載のコンピュータ読み取り可能媒体。
【請求項５６】
ワイヤレス通信ネットワーク中のアクセス端末により実行されるときに、前記アクセス端末に動作を実行させる命令を含むコンピュータ読み取り可能媒体において、
前記アクセス端末には第１の搬送波上のトラフィックチャネルが割り振られており、
前記命令は、
所定のマルチキャストセッションに登録するための要求を送るためのプログラムコードと、
前記所定のマルチキャストセッションが前記第１の搬送波上で運ばれておらず、第２の搬送波上で運ばれている場合に、前記第２の搬送波上の前記トラフィックチャネルを前記アクセス端末に割り振るトラフィックチャネル割り当て（ＴＣＡ）メッセージを受信するためのプログラムコードとを含むコンピュータ読み取り可能媒体。
【請求項５７】
前記第２の搬送波に同調するためのプログラムコードをさらに含む請求項５６記載のコンピュータ読み取り可能媒体。
【請求項５８】
前記第１の搬送波上の前記トラフィックチャネルを通して運ばれる前記アクセス端末における通信セッションを前記第２のチャネル上の前記トラフィックチャネルに遷移するためのプログラムコードをさらに含み、前記第２のチャネル上の前記トラフィックチャネルは、前記受信したＴＣＡメッセージにより割り振られる請求項５７記載のコンピュータ読み取り可能媒体。
【請求項５９】
前記第２の搬送波上でスケジューリングメッセージを受信するためのプログラムコードをさらに含み、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項５７記載のコンピュータ読み取り可能媒体。
【請求項６０】
前記所定のマルチキャストセッションに関係するマルチキャストメッセージを前記第２の搬送波のダウンリンクチャネル上で受信するためのプログラムコードと、
前記受信したスケジューリングメッセージに基づいて、前記受信したマルチキャストメッセージをデコードするためのプログラムコードとをさらに含む請求項５７記載のコンピュータ読み取り可能媒体。
【発明の詳細な説明】
【米国特許法第１１９条の優先権主張】
【０００１】
本特許出願は、“ワイヤレス通信ネットワーク内でマルチキャストセッションに加わるために搬送波を切り替える方法”と題し、２００８年４月２日に出願され、本発明の譲受人に譲渡され、ここでの参照によりここに明確にすべて組み込まれている仮出願第６１／０４１，６８０号に対して優先権を主張する。
【発明の背景】
【０００２】
１．発明の分野
本発明は、ワイヤレス電気通信システムにおける通信に関し、さらに詳細には、ワイヤレス通信ネットワーク内でマルチキャストセッションに加わるための搬送波の切り替えに関連している。
【０００３】
２．関連技術の説明
ワイヤレス通信システムは、第１世代のアナログワイヤレス電話機サービス（１Ｇ）と、（暫定的な２．５Ｇネットワークおよび２．７５Ｇネットワークを含む）第２世代（２Ｇ）のデジタルワイヤレス電話機サービスと、第３世代（３Ｇ）の高速データ／インターネット対応のワイヤレスサービスとを含む、さまざまな世代にわたって発達してきた。現在では、セルラおよびパーソナル通信サービス（ＰＣＳ）システムを含む多くの異なるタイプのワイヤレス通信システムが使用されている。既知のセルラシステムの例には、先進移動電話システム（ＡＭＰＳ）や、コード分割多元接続（ＣＤＭＡ）と、周波数分割多元接続（ＦＤＭＡ）と、時分割多元接続（ＴＤＭＡ）と、ＴＤＭＡのグローバルシステムフォーモバイルアクセス（ＧＳＭ）（登録商標）バリエーションと、ＴＤＭＡおよびＣＤＭＡ技術の双方を使用する、より新しいハイブリッドデジタル通信システムとに基づくデジタルセルラシステムが含まれる。
【０００４】
ＣＤＭＡ移動体通信を提供するための方法は、ここでＩＳ−９５として呼ばれる、「デュアルモードワイドバンドスペクトラム拡散セルラシステムに対する、移動局−基地局互換性標準規格」と題するＴＩＡ／ＥＩＡ／ＩＳ−９５−Ａにおいて、米国電気通信工業会／米国電子工業会により、米国にて標準規格化された。ＡＭＰＳとＣＤＭＡを組み合わせたシステムが、ＴＩＡ／ＥＩＡ標準規格ＩＳ−９８に記述されている。他の通信システムは、ＩＭＴ−２０００／ＵＭ標準規格、すなわち、インターナショナルモバイルテレコミュニケーションシステム２０００／ユニバーサルモバイルテレコミュニケーションシステム標準規格に記述されている。この標準規格は、ワイドバンドＣＤＭＡ（ＷＣＤＭＡ）、（例えば、ＣＤＭＡ２０００  １ｘＥＶ−ＤＯ標準規格のような）ＣＤＭＡ２０００、または、ＴＤ−ＳＣＤＭＡとして呼ばれるものをカバーする。
【０００５】
ワイヤレス通信システムでは、基地局に隣接する特定の地理的な領域内で、または、基地局周辺の特定の地理的な領域内で、通信リンクまたはサービスをサポートする（セルサイトまたはセルとしても呼ばれる）固定位置の基地局から、移動局、ハンドセット、または、アクセス端末（ＡＴ）が信号を受信する。基地局は、アクセスネットワーク（ＡＮ）／無線アクセスネットワーク（ＲＡＮ）にエントリポイントを提供する。これらのネットワークは、一般的に、サービス品質（ＱｏＳ）要件に基づいてトラフィックを区別するための方法をサポートする、標準規格のインターネット技術タスクフォース（ＩＥＴＦ）ベースのプロトコルを使用するパケットデータネットワークである。それゆえ、一般的に、基地局は、無線によるインターフェースによりＡＴと対話し、インターネットプロトコル（ＩＰ）ネットワークデータパケットによりＡＮと対話する。
【０００６】
ワイヤレス電気通信システムでは、プッシュ・ツー・トーク（ＰＴＴ）能力が、サービスセクターと消費者に人気を博している。ＰＴＴは、ＣＤＭＡ、ＦＤＭＡ、ＴＤＭＡ、ＧＳＭなどのような、標準規格の商業ワイヤレスインフラストラクチャを通して動作する、「ディスパッチ」音声サービスをサポートできる。ディスパッチモデルでは、仮想グループ内でエンドポイント（ＡＴ）間の通信が生じ、１人の「話者」の音声が１人以上の「聴者」に送信される。このタイプの通信の１つの例は、一般にディスパッチ通話、または、単にＰＴＴ通話として呼ばれる。ＰＴＴ通話は、通話の特性を規定するグループのインスタンシエーションである。グループは本質的に、グループ名またはグループ識別子のような、メンバーリストと関係情報とにより規定される。
【０００７】
従来、ワイヤレス通信ネットワーク内のデータパケットは、単一の宛先または単一のアクセス端末に対して送られるように構成されてきた。単一の宛先へのデータの送信は「ユニキャスト」として呼ばれる。移動体通信が増加してきたので、所定のデータを複数のアクセス端末に同時に送信するための能力が、ますます重要になってきている。したがって、複数の宛先または複数のターゲットアクセス端末への同じパケットまたは同じメッセージの同時データ送信をサポートするプロトコルが採用されるようになってきた。「ブロードキャスト」が、（例えば、所定のサービスプロバイダなどにより担当される、所定のセル内の）すべての宛先またはすべてのアクセス端末に対するデータパケットの送信に関連する一方で、「マルチキャスト」は、宛先またはアクセス端末の所定のグループへのデータパケットの送信に関連する。例として、宛先の所定のグループ、すなわち、「マルチキャストグループ」は、（所定のサービスプロバイダなどにより担当される、所定のグループ内の）１つより多く、かつ、すべてより少ない、可能性ある宛先またはアクセス端末を含んでいてもよい。しかしながら、ある状況では少なくとも、マルチキャストグループが、ユニキャストに類似して、１つのアクセス端末のみを含んでいること、または、代替的に、マルチキャストグループが、ブロードキャストに類似して、（例えば、セルまたはセクター内の）すべてのアクセス端末を含んでいることがありえる。
【０００８】
ブロードキャストおよび／またはマルチキャストは、ワイヤレス通信システム内で多数の方法において実行されてもよい。多数の方法は、例えば、マルチキャストグループに適応するように、複数のシーケンシャルなユニキャスト動作を実行することと、複数のデータ送信を同時に取り扱うために、一意的なブロードキャスト／マルチキャストチャネル（ＢＣＨ）を割り振ることと、これらに類することとである。プッシュ・ツー・トーク通信に対してブロードキャストチャネルを使用する従来のシステムは、その内容が参照によりここにすべて組み込まれている、「ＣＤＭＡ  １ｘ−ＥＶＤＯセルラネットワークを使用する、プッシュ・ツー・トークグループ通話システム」と題する、２００７年３月１日付けの米国特許出願公報第２００７／００４９３１４号に記述されている。公報第２００７／００４９３１４号に記述されているように、従来のシグナリング技術を使用するプッシュ・ツー・トーク通話に対して、ブロードキャストチャネルを使用することができる。ブロードキャストチャネルの使用は、従来のユニキャスト技術に比べて帯域幅要件を改善するかもしれないが、ブロードキャストチャネルの従来のシグナリングでは、依然として、結果的に、付加的なオーバーヘッドおよび／または遅延になることがあり、システム性能を劣化させるかもしれない。
【０００９】
第３世代パートナーシッププロジェクト２（「３ＧＰＰ２」）は、ＣＤＭＡ２０００ネットワークにおいてマルチキャスト通信をサポートするための、ブロードキャスト−マルチキャストサービス（ＢＣＭＣＳ）仕様を規定している。したがって、「ＣＤＭＡ２０００高レートブロードキャスト−マルチキャストパケットデータエアインターフェース仕様」と題する、２００６年２月１４日付けの３ＧＰＰ２のＢＣＭＣＳ仕様のバージョンであるバージョン１．０  Ｃ．Ｓ００５４−Ａは、参照によりここにすべて組み込まれている。
【概要】
【００１０】
本発明の実施形態は、ワイヤレス通信ネットワーク中のマルチキャストセッションをサポートすることに向けられている。アクセス端末は、所定のマルチキャストセッションに登録するための要求を送る。アクセスネットワークは、アクセス端末から登録要求を受信する。ここでは、アクセス端末には既に第１の搬送波上のトラフィックチャネルが割り振られている。アクセスネットワークは、所定のマルチキャストセッションが第１の搬送波上で運ばれているか否かを決定し、所定のマルチキャストセッションは第１の搬送波上で運ばれておらず、第２の搬送波上で運ばれていると、アクセスネットワークが決定した場合に、第２の搬送波上のトラフィックチャネルをアクセス端末に割り振るトラフィックチャネル割り当て（ＴＣＡ）メッセージを送信する。アクセス端末は、第２の搬送波上のトラフィックチャネルをアクセス端末に割り振るＴＣＡメッセージを受信する。
【図面の簡単な説明】
【００１１】
例示のためにのみ提示し、本発明を限定するものではない添付の図面に関連して考慮すると、以下の詳細な説明への参照により、同じものがより良く理解されるので、本発明の実施形態と、それに付随する多くの利点とのより完全な理解が容易に得られるだろう。
【図１】図１は、本発明の少なくとも１つの実施形態にしたがって、アクセス端末とアクセスネットワークとをサポートする、ワイヤレスネットワークアーキテクチャのダイヤグラムである。
【図２】図２は、本発明の実施形態にしたがった、キャリアネットワークを図示している。
【図３】図３は、本発明の少なくとも１つの実施形態にしたがった、アクセス端末の図示である。
【図４】図４は、従来のマルチキャストメッセージングプロセスを図示している。
【図５】図５は、本発明の実施形態にしたがった、マルチキャストメッセージングプロセスを図示している。
【図６】図６は、本発明の別の実施形態にしたがった、マルチキャストメッセージングプロセスを図示している。
【詳細な説明】
【００１２】
本発明の特定の実施形態に向けられている以下の記述と関連する図面において、本発明の側面を開示する。本発明の範囲から逸脱することなく、代替実施形態を考案してもよい。さらに、本発明のよく知られているエレメントは、本発明の関連する細部を不明瞭にしないように、詳細に記述していないか、または、省略している。
【００１３】
単語「例示的な」および／または「例」は、ここでは、「例、事例、または、例示として役割を果たす」ことを意味するように使用される。「例示的な」および／または「例」としてここで記述する何らかの実施形態は、必ずしも、他の実施形態より好ましい、または、他の実施形態より利点があるものとして解釈されるべきはない。同様に、用語「本発明の実施形態」は、本発明のすべての実施形態が、論じている特徴、利点、または、動作のモードを含むことを必要としていない。
【００１４】
さらに、例えばコンピューティングデバイスのエレメントにより実行されるアクションのシーケンスに関して、多くの実施形態を記述している。特有な回路（例えば、特定用途向け集積回路（ＡＳＩＣ））により、１つ以上のプロセッサによって実行されるプログラム命令により、または、双方の組み合わせにより、ここで記述するさまざまなアクションを実行できることが認識されるだろう。加えて、実行の際に、関係するプロセッサにここで記述する機能性を実行させるための対応する１組のコンピュータ命令を、その中に記憶している何らかの形態のコンピュータ読取可能記憶媒体内で、ここで記述するこれらのアクションのシーケンスが完全に具現化されると考えることができる。したがって、そのすべてが、クレームされている主題事項の範囲内にあるように考えられている、多数の異なる形態において、本発明のさまざまな側面を具現化することができる。さらに、ここで記述する実施形態のそれぞれに対して、例えば、記述するアクションを実行するように「構成されている論理」として、何らかのこのような実施形態の対応する形態をここで記述している。
【００１５】
ここでアクセス端末（ＡＴ）として呼ばれる、高データレート（ＨＤＲ）加入者局は、移動性のものまたは静的なものであってもよく、ここでモデムプールトランシーバ（ＭＰＴ）または基地局（ＢＳ）として呼ばれる、１つ以上のＨＤＲ基地局と通信してもよい。アクセス端末は、モデムプール制御装置（ＭＰＣ）、基地局制御装置（ＢＳＣ）、および／または、パケット制御機能（ＰＣＦ）として呼ばれる、ＨＤＲ基地局制御装置に対して、１つ以上のモデムプールトランシーバを通して、データパケットを送受信する。モデムプールトランシーバとモデムプール制御装置は、アクセスネットワークと呼ばれるネットワークの一部である。アクセスネットワークは、複数のアクセス端末間で、データパケットを伝送する。
【００１６】
アクセスネットワークは、企業のイントラネットまたはインターネットのような、アクセスネットワークの外部にある付加的なネットワークにさらに接続されていてもよく、各アクセス端末とこのような外部ネットワークとの間で、データパケットを伝送してもよい。１つ以上のモデムプールトランシーバとのアクティブなトラフィックチャネル接続を確立しているアクセス端末は、アクティブなアクセス端末と呼ばれ、トラフィック状態にあると言われる。１つ以上のモデムプールトランシーバとのアクティブなトラフィックチャネル接続を確立するプロセス中にあるアクセス端末は、接続セットアップ状態にあると言われる。アクセス端末は、ワイヤレスチャネル、あるいは、例えば光ファイバケーブルまたは同軸ケーブルを使用して、ワイヤードチャネルを通して通信する、何らかのデータデバイスであってもよい。アクセス端末は、さらに、ＰＣカード、コンパクトフラッシュ（登録商標）、外付けのモデムまたは内蔵のモデム、あるいは、ワイヤレス電話機またはワイヤライン電話機を含むが、これらに限定されない、多数のタイプのデバイスのうちのいずれかであってもよい。それを通してアクセス端末がモデムプールトランシーバに信号を送る通信リンクは、リバースリンクまたはリバーストラフィックチャネルと呼ばれる。それを通してモデムプールトランシーバがアクセス端末に信号を送る通信リンクは、フォワードリンクまたはフォワードトラフィックチャネルと呼ばれる。ここで使用するような用語トラフィックチャネルは、フォワードトラフィックチャネルまたはリバーストラフィックチャネルのいずれかに言及することがある。
【００１７】
図１は、本発明の少なくとも１つの実施形態にしたがった、ワイヤレス通信システム１００の１つの例示的な実施形態のブロックダイヤグラムを図示している。システム１００は、エアインターフェース１０４を通してアクセスネットワークまたは無線アクセスネットワーク（ＲＡＮ）１２０と通信している、セルラ電話機１０２のようなアクセス端末を含むことができる。アクセスネットワークまたは無線アクセスネットワーク（ＲＡＮ）１２０は、パケット交換データネットワーク（例えば、イントラネット、インターネット、および／または、キャリアネットワーク１２６）と、アクセス端末１０２、１０８、１１０、１１２との間にデータ接続性を提供するネットワーク機器に、アクセス端末１０２を接続することができる。ここで示すように、アクセス端末は、セルラ電話機１０２、パーソナルデジタルアシスタント１０８、ここでは双方向テキストページャとして示しているページャ１１０、または、ワイヤレス通信ポータルを有する独立したコンピュータプラットフォーム１１２とすることさえできる。したがって、ワイヤレス通信ポータルを含むアクセス端末の何らかの形態で、あるいは、ワイヤレスモデム、ＰＣＭＣＩＡカード、パーソナルコンピュータ、電話機、または、これらの何らかの組み合わせまたは部分組み合わせを含むが、これらに限定されない、ワイヤレス通信能力を有するアクセス端末の何らかの形態で、本発明の実施形態を実現することができる。さらに、ここで使用するように、用語「アクセス端末」、「ワイヤレスデバイス」、「クライアントデバイス」、「移動体端末」、および、これらのバリエーションは、区別なく使用することができる。
【００１８】
図１の参照に戻ると、ワイヤレスネットワーク１００のコンポーネントと、本発明の例示的な実施形態のエレメントの相互関係は、図示しているコンフィギュレーションに限定されない。システム１００は、単に例示的なものに過ぎず、ワイヤレスクライアントコンピューティングデバイス１０２、１０８、１１０、１１２のような遠隔アクセス端末が、互いの間で、および／または、エアインターフェース１０４とＲＡＮ１２０とを介して接続されているコンポーネントとの間で、無線で通信することを可能にする、何らかのシステムを含むことができる。エアインターフェース１０４とＲＡＮ１２０とを介して接続されているコンポーネントは、キャリアネットワーク１２６、インターネット、および／または、他の遠隔サーバを含むが、これらに限定されない。
【００１９】
ＲＡＮ１２０は、基地局制御装置／パケット制御機能（ＢＳＣ／ＰＣＦ）１２２に送られる（典型的にデータパケットとして送られる）メッセージを制御する。ＢＳＣ／ＰＣＦ１２２は、パケットデータサービスノード１６０（「ＰＤＳＮ」）とアクセス端末１０２／１０８／１１０／１１２との間で、ベアラチャネル（すなわち、データチャネル）を、シグナリングすることと、確立することと、ティアダウンすることとを担当している。リンクレイヤ暗号化を可能にする場合に、ＢＳＣ／ＰＣＦ１２２は、エアインターフェース１０４を通してコンテンツを送る前に、コンテンツも暗号化する。ＢＳＣ／ＰＣＦ１２２の機能は技術的によく知られており、簡潔にするためにこれ以上論じない。キャリアネットワーク１２６は、ネットワーク、インターネット、および／または、公衆電話交換ネットワーク（ＰＳＴＮ）により、ＢＳＣ／ＰＣＦ１２２と通信してもよい。代替的に、ＢＳＣ／ＰＣＦ１２２は、インターネットまたは外部のネットワークに直接接続してもよい。典型的に、キャリアネットワーク１２６とＢＳＣ／ＰＣＦ１２２との間のネットワーク接続またはインターネット接続はデータを転送し、ＰＳＴＮは音声情報を転送する。複数の基地局（ＢＳ）またはモデムプールトランシーバ（ＭＰＴ）１２４に、ＢＳＣ／ＰＣＦ１２２を接続することができる。キャリアネットワークに対するものと類似した方法で、データ転送および／または音声情報のために、ＢＳＣ／ＰＣＦ１２２は、典型的に、ネットワーク、インターネット、ならびに／あるいは、ＰＳＴＮにより、ＭＰＴ／ＢＳ１２４に接続されている。ＭＰＴ／ＢＳ１２４は、セルラ電話機１０２のようなアクセス端末に対して、データメッセージをワイヤレスにブロードキャストすることができる。ＭＰＴ／ＢＳ１２４と、ＢＳＣ／ＰＣＦ１２２と、他のコンポーネントは、技術的に知られているように、ＲＡＮ１２０を形成してもよい。しかしながら、代替コンフィギュレーションを使用してもよく、本発明は、図示しているコンフィギュレーションに限定されない。例えば、別の実施形態では、ＢＳＣ／ＰＣＦ１２２とＭＰＴ／ＢＳ１２４との双方の機能性を有する、単一の「ハイブリッド」モジュール中に、ＢＳＣ／ＰＣＦ１２２および１つ以上のＭＰＴ／ＢＳ１２４の機能性を圧縮してもよい。
【００２０】
図２は、本発明の実施形態にしたがった、キャリアネットワーク１２６を図示している。図２の実施形態では、キャリアネットワーク１２６は、パケットデータ担当ノード（ＰＤＳＮ）１６０と、ブロードキャスト担当ノード１６５と、アプリケーションサーバ１７０と、インターネット１７５とを含んでいる。しかしながら、代替的な実施形態において、アプリケーションサーバ１７０および他のコンポーネントは、キャリアネットワークの外部に位置付けられていてもよい。ＰＤＳＮ１６０は、例えば、ｃｄｍａ２０００無線アクセスネットワーク（ＲＡＮ）（例えば、図１のＲＡＮ１２０）を利用して、移動局（例えば、図１からの１０２、１０８、１１０、１１２のようなアクセス端末）に対して、インターネット１７５、イントラネット、および／または、遠隔サーバ（例えば、アプリケーションサーバ１７０）へのアクセスを提供する。アクセスゲートウェイとして機能するときに、ＰＤＳＮ１６０は、シンプルなＩＰアクセスおよびモバイルＩＰアクセスと、フォーリンエージェントサポートと、パケット伝送とを提供してもよい。技術的に知られているように、ＰＤＳＮ１６０は、認証認可アカウンティング（ＡＡＡ）サーバと他のサポーティングインフラストラクチャとに対するクライアントとして機能することができ、ＩＰネットワークへのゲートウェイを移動局に提供する。図２で示しているように、ＰＤＳＮ１６０は、従来のＡ１０接続を介して、ＲＡＮ１２０（例えば、ＢＳＣ／ＰＣＦ１２２）と通信してもよい。Ａ１０接続は、技術的によく知られており、簡潔にするためにこれ以上記述しない。
【００２１】
図２を参照すると、ブロードキャスト担当ノード（ＢＳＮ）１６５は、マルチキャストおよびブロードキャストサービスをサポートするように構成されている。ＢＳＮ１６５は、下記でさらに詳細に説明する。ＢＳＮ１６５は、ブロードキャスト（ＢＣ）Ａ１０接続を介して、ＲＡＮ１２０（例えば、ＢＳＣ／ＰＣＦ１２２）と通信し、インターネット１７５を介して、アプリケーションサーバ１７０と通信する。ＢＣＡ１０接続は、マルチキャストメッセージングおよび／またはブロードキャストメッセージングを転送するために使用される。したがって、アプリケーションサーバ１７０は、インターネット１７５を介して、ＰＤＳＮ１６０にユニキャストメッセージングを送り、インターネット１７５を介して、ＢＳＮ１６５にマルチキャストメッセージングを送る。
【００２２】
一般的に、下記でさらに詳細に説明するように、ＲＡＮ１２０は、ＢＣＡ１０接続を介してＢＳＮ１６５から受信したマルチキャストメッセージを、エアインターフェース１０４を通して、１つ以上のアクセス端末２００に送信する。
【００２３】
図３を参照すると、元々は、キャリアネットワーク１２６、インターネット、ならびに／あるいは、他の遠隔のサーバおよびネットワークから到来したかもしれない、ＲＡＮ１２０から送信された、ソフトウェアアプリケーション、データ、および／または、コマンドを受信して、実行することができるプラットフォーム２０２を、セルラ電話機のようなアクセス端末２００（ここでは、ワイヤレスデバイス）は有する。プラットフォーム２０２は、特定用途向け集積回路（「ＡＳＩＣ」２０８）に動作可能に結合されているトランシーバ２０６、あるいは、他のプロセッサ、マイクロプロセッサ、論理回路または他のデータ処理デバイスを含むことができる。ＡＳＩＣ２０８または他のプロセッサは、ワイヤレスデバイスのメモリ２１２中の何らかの常駐プログラムとインターフェースする、アプリケーションプログラミングインターフェース（「ＡＰＩ」）２１０レイヤを実行する。メモリ２１２は、リードオンリーメモリまたはランダムアクセスメモリ（ＲＡＭおよびＲＯＭ）、ＥＥＰＲＯＭ、フラッシュカード（登録商標）、あるいは、コンピュータプラットフォームに共通の何らかのメモリから構成することができる。プラットフォーム２０２は、メモリ２１２中でアクティブに使用されていないアプリケーションを保持することができるローカルデータベース２１４も含むことができる。ローカルデータベース２１４は、典型的に、フラッシュメモリセルであるが、磁気メディア、ＥＥＰＲＯＭ、光メディア、テープ、ソフトディスクまたはハードディスク、あるいは、これらに類するもののような、技術的に知られているような何らかの二次記憶デバイスとすることができる。技術的に知られているように、内部プラットフォーム２０２コンポーネントは、他のコンポーネントの中でも、アンテナ２２２と、ディスプレイ２２４と、プッシュ・ツー・トークボタン２２８と、キーパッド２２６とのような外部デバイスに動作可能に結合することもできる。
【００２４】
したがって、本発明の実施形態は、ここで記述する機能を実行するための能力を含むアクセス端末を含むことができる。当業者により理解されるように、ディスクリートエレメントにおいて、プロセッサ上で実行されるソフトウェアモジュールにおいて、または、ここで開示する機能性を達成するためのソフトウェアとハードウェアとの何らかの組み合わせにおいて、さまざまな論理エレメントを具現化できる。例えば、ＡＳＩＣ２０８と、メモリ２１２と、ＡＰＩ２１０と、ローカルデータベース２１４とをすべて協調的に使用して、ここで開示するさまざまな機能をロードし、記憶し、実行してもよく、したがって、これらの機能を実行するための論理をさまざまなエレメントにわたって分散させてもよい。代替的に、１つのディスクリートコンポーネント中に機能性を組み込むことができる。それゆえ、図３中のアクセス端末の特徴は単に例示的であると考えられ、本発明は、図示している特徴または構成に限定されない。
【００２５】
アクセス端末１０２とＲＡＮ１２０との間のワイヤレス通信は、異なる技術に基づくことがある。異なる技術は、コード分割多元接続（ＣＤＭＡ）、ＷＣＤＭＡ、時分割多元接続（ＴＤＭＡ）、周波数分割多元接続（ＦＤＭＡ）、直交周波数分割多重（ＯＦＤＭ）、グローバルシステムフォーモバイルコミュニケーション（ＧＳＭ）、あるいは、ワイヤレス通信ネットワーク中またはデータ通信ネットワーク中で使用される他のプロトコルなどである。データ通信は、典型的に、クライアントデバイス１０２と、ＭＰＴ／ＢＳ１２４と、ＢＳＣ／ＰＣＦ１２２との間のものである。キャリアネットワーク１２６と、ＰＳＴＮと、インターネットと、仮想プライベートネットワークと、これらに類するものとのような、複数のデータネットワークに、ＢＳＣ／ＰＣＦ１２２を接続することができ、したがって、アクセス端末１０２がより広い通信ネットワークにアクセスすることを可能にする。先において論じ、技術的に知られているように、さまざまなネットワークとコンフィギュレーションとを使用して、ＲＡＮからアクセス端末に、音声送信および／またはデータを送信することができる。したがって、ここで提供する図示は、本発明の実施形態を限定することを意図するものではなく、単に本発明の実施形態の側面の記述を支援するものに過ぎない。
【００２６】
コード分割多元接続（ＣＤＭＡ）ワイヤレス通信システムのような従来のワイヤレス通信システムでは、利用可能な帯域幅の総量が異なる搬送波に分割される。例えば、（これは、必ずしもこのケースではないが）各搬送波には同量の帯域幅を割り振ることができる。一般的に、ＲＡＮ１２０は、何らかの特定の搬送波上の過負荷状態を回避するために、搬送波のそれぞれにわたって実質上均等に負荷を分散させるように努める。
【００２７】
背景セクションにおいて論じたように、マルチキャストまたはマルチキャストセッションは、相対的に非常に多数の、アクセス端末またはマルチキャストグループメンバーへの、同一のメッセージまたは同一の組のメッセージの送信を可能にする。したがって、特定のセクター中で、特定のマルチキャストセッションに対するマルチキャストメッセージを１つより多い利用可能な搬送波上で運ぶことは冗長なことであり、ワイヤレス通信システム内の貴重な帯域幅を無駄にすることが理解されるだろう。そうであるので、各セクター内で、特定のマルチキャストセッションに対するマルチキャストメッセージを単一の搬送波上で送信することと、マルチキャストセッションに参加することを望むアクセス端末に、この搬送波への切り替えをさせることとが、よく知られている。“アイドル”のアクセス端末はトラフィックチャネルを有する何らかの特定の搬送波にまだ接続されていないことから、“アイドル”状態にある、または、アクティブなトラフィックチャネルを有していないアクセス端末に対しては、このプロセスは比較的効率的である。しかしながら、図４に関して下記でさらに詳細に論じているように、マルチキャストセッションがその上に存在する搬送波以外の搬送波上に現在のアクティブなトラフィックチャネルを有しているアクセス端末にとって、従来の搬送波切り替えは問題になることがある。
【００２８】
図４は、従来のマルチキャストメッセージングプロセスを図示している。特に、図４は、第１の搬送波上にアクティブなトラフィックチャネルを有する所定のアクセス端末が、第２の搬送波上で運ばれている、第２の搬送波上の通知されたプッシュ・ツー・トーク（ＰＴＴ）セッションに加わる、従来の方法を図示している。ＰＴＴセッションを参照して図４を下記に説明しているが、類似した通話フローを、プッシュ・ツー・トランスファー（ＰＴＸ）セッションまたはＹｕｇａｔｔａセッションのような、他のタイプのグループセッションに対しても構成できることが理解されるだろう。図４の説明では、搬送波ＡおよびＢに言及している。しかしながら、ワイヤレス通信システムは任意の数の搬送波を含むことができ、図４の説明は、説明の便宜上、２つの搬送波（すなわち、ＡおよびＢ）に言及していることが理解されるだろう。
【００２９】
４００において、所定のＡＴ（“ＡＴ  Ａ”）は、ＲＡＮ１２０に接続要求を送って、その上で通信するためのトラフィックチャネルを要求する。例えば、４００の接続要求は、電話機通話や、ｅメールメッセージ送信またはダウンロードや、ビデオダウンロードなどの開始に関係していてもよい。技術的によく知られているように、４０５において、ＲＡＮ１２０は、接続要求を受信して、ＡＴ  Ａにトラフィックチャネル割り当て（ＴＣＡ）メッセージを送ることにより、所定の搬送波（“搬送波Ｂ”）上のトラフィックチャネルをＡＴ  Ａに割り当てる。４０５においてＴＣＡメッセージを受信した後に、ＡＴ  Ａは、４１０において、搬送波Ｂ上でのＲＡＮ１２０との通信セッション（例えば、音声メッセージングや、ビデオメッセージングや、テキストメッセージングなど）を始める。
【００３０】
４１５において、アプリケーションサーバ１７０またはプッシュ・ツー・トーク（ＰＴＴ）サーバが、ＰＴＴセッションを通知する通知メッセージをＲＡＮ１２０に送る。ＲＡＮ１２０は、ワイヤレス通信システム１００の複数のセクター中で、および、各セクター内にターゲットＡＴを含む各搬送波上で、通知メッセージを送信する。したがって、通知メッセージは、搬送波Ｂ上で送信され、それにより、ＡＴ  Ａにより受信される。
【００３１】
４２０において、ＡＴ  Ａは、ＰＴＴセッションに参加することに興味がある（例えば、ＡＴ  Ａは、通知されたＰＴＴセッションに対するマルチキャストグループに話し掛けたい、ＡＴ  Ａは、通知されたＰＴＴセッションをリッスンしたい／ウォッチしたい、など）と仮定する。したがって、４２０において、ＡＴ  Ａは、１ｘ  ＥＶ−ＤＯ標準規格により規定されているＢＣＭＳＣＦフロー登録メッセージのような登録メッセージをＲＡＮ１２０に送ることにより、通知されたＰＴＴセッションに登録するように試みる。ＲＡＮ１２０は、ＢＣＭＳＣＦフロー登録メッセージをＡＴ  Ａから受信し、ダウンリンク制御チャネルサイクルの１つ以上のスロットで、ダウンリンク制御チャネル上においてブロードキャストオーバーヘッドメッセージ（ＢＯＭ）を送り、通知されたＰＴＴセッションをアドバタイズする。ＢＯＭは、技術的によく知られており、１ｘ  ＥＶ−ＤＯ標準規格により規定されている。ＢＯＭは、アドバタイズされたＢＣＭＣＳフローにアクセス端末がどのように“同調”できるかに関する命令とともに、１つ以上のブロードキャストおよびマルチキャストサービス（ＢＣＭＣＳ）フロー識別子（ＩＤ）のリストを含む。アドバタイズされたＢＣＭＣＳフローにアクセス端末がどのように同調できるかに関する命令は、その搬送波上のダウンリンクブロードキャストチャネル（ＢＣＨ）に対するインターレース多重化（ＩＭ）対を含むことができ、または、マルチキャストセッションがその上で運ばれる別の搬送波の指定とともに、マルチキャストセッションのための送信フォーマットを含むことができる。
【００３２】
４２５において、通知されたＰＴＴセッションに対するＢＣＭＣＳフローＩＤをアドバタイズするＢＯＭが、通知されたＰＴＴセッションが搬送波Ａ上で運ばれていると示していると仮定する。したがって、ＡＴ  Ａが、搬送波Ｂ上にアクティブなトラフィックチャネルを既に有していることから、ＡＴ  Ａは、通知されたＰＴＴセッションに参加するために、搬送波Ｂから搬送波Ａに“切り替える”（すなわち、搬送波Ａに同調して、搬送波Ｂに同調することを止める）必要がある。例えば、ＡＴ  Ａが、搬送波Ｂ上のトラフィックチャネルを維持しようと試みる一方で、搬送波Ａ上のＰＴＴセッションにも参加する場合に、双方の通信セッション上の性能が大きく悪化することがある（例えば、ドロップされたデータパケットなど）。
【００３３】
４３０において、ＡＴ  Ａは、ＰＴＴセッションに加わることが搬送波切り替えを必要とするという知識に基づいて、ＰＴＴセッションに加わるか否かを決定する。１つの例では、以前に確立された搬送波Ｂのトラフィックチャネル上の通信セッション（例えば、電話通話、ビデオ会議など）が高い優先順位を有する場合には、ＡＴ  Ａは、搬送波切り替えの間のチャネル停止をこうむることなく、既存の通信セッションを保持するために、ＰＴＴセッションに参加しないことを決定する。そうであるので、プロセスは４１０に戻る。そうでなく、既存の通信セッションが比較的低い優先順位を有し、これにより、短いチャネル停止（例えば、数秒）が許容可能である場合には、ＡＴ  Ａは、搬送波切り替えを実行して、搬送波Ａ上の通知されたＰＴＴセッションに加わることを決定し、プロセスは４３５に進む。
【００３４】
４３５において、ＡＴ  Ａは、搬送波Ｂでのこのトラフィックチャネルをティアダウンまたはリリースし、したがって、ＲＡＮ１２０が、４４０において、ＡＴ  Ａに対する搬送波Ｂ上のトラフィックチャネルをティアダウンまたはリリースするようにＲＡＮ１２０にシグナリングする。これは、４１０において開始された通信セッションを有効に“ドロップ”させる。トラフィックチャネルのティアダウンまたはリリースは、技術的によく知られており、ＥＶ−ＤＯ標準規格中に規定されているメッセージングで典型的に実行されるので、簡潔にするためにこれ以上詳細に記述しない。
【００３５】
トラフィックチャネルをティアダウンした後に、ＡＴ  Ａは、搬送波Ａに同調し４４５、搬送波Ａ上でＢＯＭメッセージを受信する４５０。ＢＯＭメッセージは、搬送波ＡのＢＣＨ上のマルチキャストメッセージをデコードする方法（例えば、マルチキャストフローを運ぶ、搬送波Ａのインターレース多重化（ＩＭ）対）についての命令を含む。その後、ＡＴ  Ａは、搬送波ＡのＢＣＨの指定されたＩＭ対に同調することにより、搬送波Ａ上の、通知されたＰＴＴセッションに関係するマルチキャストメッセージをデコードすることが可能であり、ＡＴ  Ａは、ＰＴＴセッションを監視する、または、ＰＴＴセッションに参加する４６０。
【００３６】
４６５において、ＡＴ  Ａは、ＲＡＮ１２０がアクセスパラメータメッセージを送信するのを待つ。アクセスパラメータメッセージは、技術的によく知られており、各搬送波上で定期的に送信される。いったん、ＡＴ  Ａが、搬送波Ａに対するアクセスパラメータを取得すると、ＡＴ  Ａは、ＲＡＮ１２０に接続要求を送り、搬送波Ａ上でのＲＡＮ１２０との接続を確立する（例えば、その上で受信および／または送信するためのトラフィックチャネルを取得する）４７０。４７５において、ＲＡＮ１２０は、接続要求を受信し、トラフィックチャネル割り当て（ＴＣＡ）メッセージをＡＴ  Ａに送ることにより、搬送波Ａ上のトラフィックチャネルをＡＴ  Ａに割り当てる。４７５において、ＴＣＡメッセージを受信した後に、ＡＴ  Ａは、搬送波Ｂトラフィックチャネルをティアダウンしたときに４３５において保留されていた通信セッションを、再開する４８０。
【００３７】
４３５における搬送波Ｂトラフィックチャネルのティアダウンから、４８０における搬送波Ａトラフィックチャネル上での通信再開までの間の時間期間を、“チャネル停止”として呼ぶことができる。言い換えれば、４１０において開始された通信フローは、この期間の間に有効に“ドロップ”される。理解されるように、チャネル停止は、著しい量の遅延や、多くの、ドロップされる、または、行方不明になるパケットを生じさせたり、ＡＴ Ａおよび／または通信セッションへの他の参加者のセッション経験を低下させたりなどする。また、ＡＴ  Ａによりチャネル停止のリスクを負うことができない場合または許容できない場合には、通知されたＰＴＴセッションは（例えば、少なくとも、４１０において開始された通信をＡＴ  Ａのユーザが完了するまでは）まったく無視される４３０。したがって、ＡＴ  Ａは、４１０の通信セッションの性能低下（すなわち、チャネル停止）と、通知されたＰＴＴセッションを単に無視することとの間で、選択を迫られる。
【００３８】
図４に関して上記で論じたように、別の搬送波上に現在のアクティブなトラフィックチャンネルを有するアクセス端末において、搬送波を切り替えて、通知されたＰＴＴセッションに同調することは、問題になることがある。その理由は、既存の通信セッションは、通信セッションを新たな搬送波上で再開できる前に、チャネル停止として呼ばれる所定の時間期間の間にドロップされるかもしれないからである。したがって、本発明の実施形態は、搬送波切り替えの間のチャネル停止を減少させることおよび／または除外することに向けられている。
【００３９】
図５は、本発明の実施形態にしたがった、マルチキャストメッセージングプロセスを図示している。５００において、所定のＡＴ（“ＡＴ  Ａ”）は、ＲＡＮ１２０に接続要求を送って、通信セッション（例えば、これは必ずしもマルチキャスト通信セッションではない）のためのトラフィックチャネルを要求する。例えば、５００の接続要求は、電話機通話や、ｅメールメッセージ送信またはダウンロードや、ビデオダウンロードなどの開始に関係していてもよい。５０５において、ＲＡＮ１２０は、接続要求を受信して、ＡＴ  Ａにトラフィックチャネル割り当て（ＴＣＡ）メッセージを送ることにより、所定の搬送波（“搬送波Ｂ”）上のトラフィックチャネルをＡＴ  Ａに割り当てる。５０５においてＴＣＡメッセージを受信した後に、ＡＴ  Ａは、５１０において、搬送波Ｂ上でのＲＡＮ１２０との通信セッション（例えば、音声メッセージングや、ビデオメッセージングや、テキストメッセージングや、データ転送や、通話など）を始める。
【００４０】
５１５において、アプリケーションサーバ１７０またはプッシュ・ツー・トーク（ＰＴＴ）サーバが、ＰＴＴセッションを通知する通知メッセージをＲＡＮ１２０に送る。ＲＡＮ１２０は、ワイヤレス通信システム１００の複数のセクター中で、および、各セクター内にターゲットＡＴを含む各搬送波上で、通知メッセージを送信する。したがって、通知メッセージは、搬送波Ｂ上で送信され、それにより、ＡＴ  Ａにより受信される。ＰＴＴセッションに関してここで記述するが、他の実施形態を、ＰＴＸセッションのような他のタイプの通信セッションに向けることができることが理解されるだろう。
【００４１】
５２０において、ＡＴ  Ａは、ＰＴＴセッションに参加することに興味がある（例えば、ＡＴ  Ａは、通知されたＰＴＴセッションに対するマルチキャストグループに話し掛けたい、ＡＴ  Ａは、通知されたＰＴＴセッションをリッスンしたい／ウォッチしたい、など）と仮定する。したがって、５２０において、ＡＴ  Ａは、１ｘ  ＥＶ−ＤＯ標準規格により規定されているＢＣＭＳＣＦフロー登録メッセージのような登録メッセージをＲＡＮ１２０に送ることにより、通知されたＰＴＴセッションに登録するように試みる。
【００４２】
５２５において、搬送波Ａ上のＰＴＴセッションを担当することをＲＡＮが決めていたと仮定する。５３０において、搬送波Ａ上のトラフィックチャネルをＡＴ  Ａに割り振るトラフィックチャネル割り当て（ＴＣＡ）メッセージを、ＲＡＮ１２０は、搬送波Ｂ上でＡＴ  Ａに送る。言い換えれば、ＲＡＮ１２０は、通知されたＰＴＴセッションに登録するための要求５２０を、搬送波Ａ中のチャネル割り当てに対する暗黙の要求として解釈する。その理由は、（ｉ）ＡＴ  Ａは、第１の搬送波（“搬送波Ｂ”）上に現在のトラフィックチャネルを有しているから、および、（ｉｉ）通知されたＰＴＴセッションは別の搬送波（“搬送波Ａ”）上で運ばれるからである。したがって、ＡＴ  Ａは、（例えば、搬送波Ｂ上のトラフィックチャネルから“移行”するために）新たな搬送波上のトラフィックチャネルを取得することを願っていると、ＲＡＮ１２０は仮定し、先行的にトラフィックチャネルを割り振る。従来、搬送波切り替えを見越しての、“先行的な”チャネル割り振りのためのこのようなプロトコルは提供されていない。
【００４３】
５３５において、ＡＴ  Ａは、搬送波Ｂから搬送波Ａに切り替え、それにより搬送波Ａ上の、新たに割り振られたＡＴ  Ａのトラフィックチャネルおよび／またはダウンリンク制御チャネルに“同調する”。図５内では明確に示していないが、それによりＡＴ  Ａが搬送波Ａに同調する、５３０中のプロセスは、（例えば同調の後に、または、同調の前に）ＡＴ  ＡおよびＲＡＮ１２０に搬送波Ｂ上のトラフィックチャネルをティアダウンさせる、または、終わらせることを含む。したがって、搬送波Ａ上のトラフィックチャネルを割り当てるＴＣＡメッセージを、ＲＡＮ１２０から既に受信している５３０ことから、ＡＴ  Ａは、搬送波Ａ上の別のトラフィックチャネルを要求して、そのトラフィックチャネルが割り振られるのを待つ必要がなく、むしろ、５４０において、（例えば、５１０において開始された）通信セッションを単に続けることができる。したがって、図４に関して上記で記述したチャネル停止が実質的に減少して、ＡＴ  Ａにおける可能性ある物理的な“同調”遅延（すなわち、ＡＴ  Ａの受信機を搬送波Ｂから搬送波Ａに切り替えること）だけが依然として存在する（ただ、このような遅延は、図４に関して論じたチャネル停止と比べて比較的少ない）。
【００４４】
５４５において、ＲＡＮ１２０は、搬送波ＡのＢＣＨ上の（または、例えば、制御チャネルをＢＣＨとして使用している場合には、代替として、制御チャネル自体上の）、通知されたＰＴＴセッションに対するマルチキャストメッセージングをデコードする方法（例えば、ＩＭ対）についての命令を有する定期的なＢＯＭを、搬送波Ａのダウンリンク制御チャネル上で送る。ＲＡＮ１２０は、ＢＯＭにしたがって、搬送波ＡのダウンリンクＢＣＨ上で、通知されたＰＴＴセッションに関係するマルチキャストメッセージを送信し５５０、ＡＴ  Ａは、ＢＯＭ中に含まれている命令に基づいて、ＰＴＴセッションを監視する、または、ＰＴＴセッションに参加する５５５。
【００４５】
図６は、本発明の別の実施形態にしたがった、マルチキャストメッセージングプロセスを図示している。図６の６００ないし６２０は、図５の５００ないし５２０にそれぞれ対応しているので、簡潔にするためにこれらのこれ以上の説明は省略している。
【００４６】
６３０において、（例えば、図４の４２５に関して上記に記述したように）ＲＡＮ１２０は、通知されたＰＴＴセッションをアドバタイズするブロードキャストオーバーヘッドメッセージ（ＢＯＭ）を、ダウンリンク制御チャネルの１つ以上のスロットで、ダウンリンク制御チャネル上において送る。６３０において、通知されたＰＴＴセッションに対するＢＣＭＣＳフローＩＤをアドバタイズするＢＯＭが、通知されたＰＴＴセッションが搬送波Ａ上で運ばれていると示していると仮定する。図６中には明示的に図示していないが、ＲＡＮ１２０は、搬送波Ｂ中のダウンリンク制御チャネル上で、６３０におけるようなＢＯＭを定期的に（例えば、所定のＢＯＭ期間間隔において）再送して、６１５からの通知メッセージ、または、マルチキャストセッションの後続するＢＯＭを見落としているかもしれないことを、搬送波Ｂを監視しているＡＴに知らせる。
【００４７】
次に、登録するための要求を６２０において送った後に、ＡＴ  Ａは所定の時間期間を有するタイマーを開始する６３５。タイマーの時間期間は、“待ち”期間に対応する。ここで、ＡＴ  Ａは、ＴＣＨ割り当てに対する接続要求を送ることなく、少なくともタイマーが満期になるまで、搬送波Ａ上のトラフィックチャネルをＡＴ  Ａに割り振るトラフィックチャネル割り当て（ＴＣＡ）メッセージを待つ６４０。例では、タイマー期間は、システム設計者により選択されてもよく、図４に関して上記で論じた従来の搬送波切り替え方法論に関係する、予期されるチャネル停止の所定の割合または一部分であってもよい。６４５において、ＲＡＮ１２０は、６２０におけるＡＴ  Ａからの登録要求に応答して、割り当てに対して利用可能な、搬送波Ａ上に利用可能なトラフィックチャネルが存在するか否かを決定する。搬送波Ａ上に利用可能なトラフィックチャネルがない場合には、このようなトラフィックチャネルが利用可能になるまで、ＲＡＮ１２０は、ＡＴ  Ａに対して搬送波Ａトラフィックチャネルを割り振るＴＣＡメッセージを送らない。したがって、搬送波Ａ上のトラフィックチャネルが利用可能であると決定したときに、ＲＡＮ１２０は、搬送波Ａトラフィックチャネルを割り振るＴＣＡメッセージをＡＴ  Ａに送る６５０。
【００４８】
６５５において、搬送波Ａトラフィックチャネルを割り振るＴＣＡメッセージを、タイマーの満期の前に受信しなかった場合には、プロセスは図４の４３０に進み、従来のプロセスを実行する。従来のプロセスは、搬送波切り替えの間にチャネル停止を招くか、さもなければ、通知されたＰＴＴセッションをまったく無視するかのいずれかを行う。そうでなく、６５５において、搬送波Ａトラフィックチャネルを割り振るＴＣＡメッセージを、タイマーの満期の前に受信した場合には、プロセスは６６０に進む。図６内で明示的に示していないが、６６０において、ＡＴ  Ａが搬送波Ａに同調する前に、ＡＴ  ＡおよびＲＡＮ１２０は、搬送波Ｂ上のトラフィックチャネルをティアダウンする、または、終わらせる。図６において、６６０、６６５、６７０、６７５、および６８０は、図５の、５３５、５４０、５４５、５５０、および５５５にそれぞれ対応しているので、簡潔にするためにこれ以上論じない。
【００４９】
本発明の別の実施形態では、上記で述べたように、図６の６１５において送られた通知メッセージをＡＴ  Ａが見落とす可能性がある。このケースにおいて、ＡＴ  Ａは、６３０におけるように、通知メッセージ自体ではなく後続するＢＯＭに応答する、ＢＣＭＣＳフロー登録メッセージを送ってもよい。この状況では、ＡＴ  Ａは、図６の６３５におけるように、ＢＯＭを受信した後で、タイマーを開始させてもよく、ＢＯＭに応答するＢＣＭＣＳフロー登録メッセージをＲＡＮ１２０に送ってもよい。したがって、図６のこの代替実施形態は、別の搬送波におけるＢＣＭＣＳフローをアドバタイズするＢＯＭを、その搬送波に対するＴＣＡメッセージの前に受信する何らかのシナリオを示すものであり、通知メッセージに応答する登録メッセージを最初に送る状況に限定される必要はない。
【００５０】
上記の記述から理解されるように、メカニズムを提供している。ここでは、要求ＡＴが第２の搬送波上にアクティブなトラフィックチャネルを有している場合に、第１の搬送波中の通知された通信セッション（例えば、ＰＴＴセッションや、ＰＴＸセッションなど）への登録を要求する、ＢＣＭＣＳフロー登録メッセージのような登録要求を使用して、要求ＡＴがＴＣＡメッセージを明示的に要求する必要がなく、第１の搬送波上のトラフィックチャネルを要求ＡＴに割り振る、ＲＡＮ１２０からの先行的なＴＣＡメッセージを促す。したがって、通知されたＰＴＴセッションへの搬送波切り替えの間のチャネル停止が減少し、チャネル停止を回避するために、通知されたＰＴＴセッションをまったく無視する必要はない。
【００５１】
さらに、本発明の上述した実施形態は、一般的に、１ｘ  ＥＶ−ＤＯプロトコルに関係する用語を使用しているが、他の実施形態は、ＵＭＴＳや、ＧＳＭや、ＣＤＭＡや、Ｗ−ＣＤＭＡや、ＬＴＥや、ＷｉＭＡＸなどのような、他の電気通信プロトコルに向けられてもよいことが理解されるだろう。
【００５２】
当業者は、さまざまな異なる技術および技法のうちの任意のものを使用して、情報および信号を表してもよいことを理解するだろう。例えば、上記の記述全体を通して参照されている、データ、命令、コマンド、情報、信号、ビット、シンボルおよびチップは、電圧、電流、電磁波、磁界または磁気の粒子、光学界または光の粒子、あるいは、これらの何らかの組み合わせにより、表してもよい。
【００５３】
ここで開示した実施形態に関連して記述したさまざまな例示的な論理ブロック、モジュール、回路およびアルゴリズムステップが、電子ハードウェア、コンピュータソフトウェア、あるいは、双方を組み合わせたものとして実現されてもよいことを当業者はさらに理解するであろう。ハードウェアおよびソフトウェアのこの交換可能性を明確に示すために、さまざまな例示的なコンポーネント、ブロック、モジュール、回路、および、ステップを、一般的に、これらの機能性に関して上述した。このような機能性がハードウェアあるいはソフトウェアとして実現されるか否かは、特定の応用および全体的なシステムに課せられた設計の制約に依存する。当業者は、それぞれの特定の応用に対して変化する方法で、記述した機能性を実現してもよいが、このようなインプリメンテーションの決定は、本発明の範囲からの逸脱を生じさせるものとして解釈すべきではない。
【００５４】
ここで開示した実施形態に関連して記述したさまざまな例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは、ここで記述した機能を実行するように設計されているこれらの任意の組み合わせで、実現または実行されてもよい。汎用プロセッサはマイクロプロセッサであってもよいが、代替的に、プロセッサは、何らかの従来のプロセッサ、制御装置、マイクロ制御装置、または、状態機械であってもよい。プロセッサはまた、コンピューティングデバイスの組み合わせとして、例えば、ＤＳＰとマイクロプロセッサとの組み合わせ、複数のマイクロプロセッサ、ＤＳＰコアを備えた１つ以上のマイクロプロセッサ、あるいは、他の何らかのこのようなコンフィギュレーションとして実現されてもよい。
【００５５】
さらに、本発明の実施形態の側面は、ここで記述した機能の論理的インプリメンテーションを含むことができる。したがって、本発明の実施形態が、ここで提供した例に限定されないことを当業者は理解するだろう。
【００５６】
ここで開示した実施形態に関連して記述した方法、シーケンスおよび／またはアルゴリズムは、ハードウェアで、プロセッサにより実行されるソフトウェアモジュールで、あるいは、２つを組み合わせたもので、直接的に具現化してもよい。ソフトウェアで実現された場合、機能は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを伝送または記憶するために使用できる他の何らかの媒体を含んでいてもよい。また、あらゆる接続は、コンピュータ読取可能媒体と適切に呼ばれる。例えば、ソフトウェアが、同軸ケーブルや、光ファイバケーブルや、撚り対や、デジタル加入者回線（ＤＳＬ）や、あるいは、赤外線、無線、マイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、および、マイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。上記のものを組み合わせたものもまた、コンピュータ読取可能媒体の範囲内に含められるべきである。
【００５７】
したがって、本発明の実施形態は、ワイヤレス通信ネットワークにおいてマルチキャストセッションをサポートするために、コンピュータ読取可能媒体上に記憶されているコードを含むコンピュータ読取可能媒体を含むことができる。前記コードは：アクセス端末には第１の搬送波上のトラフィックチャネルが割り振られており、所定のマルチキャストセッションに登録するための要求をアクセス端末から受信するためのプログラムコードと、所定のマルチキャストセッションが第１の搬送波上で運ばれているか否かを決定するためのプログラムコードと、所定のマルチキャストセッションは第１の搬送波上で運ばれていないと決定ステップが決定した場合に、第２の搬送波上のトラフィックチャネルをアクセス端末に割り振るトラフィックチャネル割り当てメッセージを送信するためのプログラムコードとを含む。さらに、ここで記述した機能のうちのいくつかを、付加的なコードとして、本発明のさらなる実施形態に含めることができる。
【００５８】
先の開示は本発明の例示的な実施形態を示していたが、添付の特許請求の範囲により規定されているような本発明の範囲から逸脱することなく、ここで、さまざまな変更および改良を行うことができることに留意すべきである。ここで記述した本発明の実施形態にしたがった、方法の機能、ステップおよび／またはアクションは、何らかの特定の順序で実行される必要はない。さらに、本発明のエレメントは、単数で記述またはクレームされているかもしれないが、単数への限定が明示的に述べられていない限り、複数が意図されている。
【図１】
2011517901.tif 000003
【図２】
2011517901.tif 000004
【図３】
2011517901.tif 000005
【図４】
2011517901.tif 000006
【図５】
2011517901.tif 000007
【図６】
2011517901.tif 000008
【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク中のマルチキャストセッションをサポートする方法において、
アクセス端末には第１の搬送波上のトラフィックチャネルが割り振られており、所定のマルチキャストセッションに登録するための要求を前記アクセス端末から受信することと、
前記所定のマルチキャストセッションが前記第１の搬送波上で運ばれているか否かを決定することと、
前記所定のマルチキャストセッションは前記第１の搬送波上で運ばれておらず、第２の搬送波上で運ばれていると前記決定ステップが決定した場合に、前記第２の搬送波上のトラフィックチャネルを前記アクセス端末に割り振るトラフィックチャネル割り当てメッセージを送信することとを含む方法。
【請求項２】
前記トラフィックチャネル割り当てメッセージの前記送信の後に、前記第２の搬送波上で前記アクセス端末にスケジューリングメッセージを送信することをさらに含み、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項１記載の方法。
【請求項３】
前記スケジューリングメッセージは、前記所定のマルチキャストセッションに関係するブロードキャストおよびマルチキャストサービス（ＢＣＭＣＳ）フロー識別子（ＩＤ）をリストアップすることにより前記所定のマルチキャストセッションを識別する、ブロードキャストオーバーヘッドメッセージ（ＢＯＭ）であり、前記ＢＯＭは、前記リストアップされたＢＣＭＣＳフローＩＤに関係する、インターレース多重化（ＩＭ）対と、送信フォーマットとをさらに含む請求項２記載の方法。
【請求項４】
少なくとも前記アクセス端末の担当セクター内で、前記所定のマルチキャストセッションに関係するマルチキャストメッセージを前記第２の搬送波上で送信することをさらに含む請求項１記載の方法。
【請求項５】
前記所定のマルチキャストセッションを通知する、前記第１の搬送波上で以前に送られた通知メッセージに応答して、前記所定のマルチキャストセッションに登録するための要求を前記アクセス端末から受信する請求項１記載の方法。
【請求項６】
前記所定のマルチキャストセッションを識別し、前記所定のマルチキャストセッションが前記第２の搬送波上で運ばれていることを示す、前記第１の搬送波上で以前に送られたスケジューリングメッセージに応答して、前記所定のマルチキャストセッションに登録するための要求を前記アクセス端末から受信する請求項１記載の方法。
【請求項７】
前記以前に送られたスケジューリングメッセージは、前記所定のマルチキャストセッションに関係するブロードキャストおよびマルチキャストサービス（ＢＣＭＣＳ）フロー識別子（ＩＤ）をリストアップすることにより前記所定のマルチキャストセッションを識別する、ブロードキャストオーバーヘッドメッセージ（ＢＯＭ）である請求項６記載の方法。
【請求項８】
前記送信ステップは、前記第１の搬送波上で前記トラフィックチャネル割り当てメッセージを送信する請求項１記載の方法。
【請求項９】
前記第２の搬送波が少なくとも１つの利用可能なトラフィックチャネルを含むか否かを決定することをさらに含む請求項１記載の方法。
【請求項１０】
前記第２の搬送波が少なくとも１つの利用可能なトラフィックチャネルを含むと前記決定ステップが決定した後にのみ、前記送信ステップが実行される請求項９記載の方法。
【請求項１１】
前記トラフィックチャネル割り当てメッセージの前記送信の前に、前記第１の搬送波上で前記アクセス端末にスケジューリングメッセージを送信することをさらに含み、前記スケジューリングメッセージは、前記所定のマルチキャストセッションを識別し、前記所定のマルチキャストセッションが前記第２の搬送波上で運ばれていることを示す請求項１記載の方法。
【請求項１２】
前記受信ステップは、前記スケジューリングメッセージに応答して、前記登録するための要求を受信する請求項１１記載の方法。
【請求項１３】
前記所定のマルチキャストセッションが前記第１の搬送波上で運ばれておらず、前記第２の搬送波上で運ばれていると前記決定ステップが決定した場合にのみ、前記送信ステップが実行される請求項１記載の方法。
【請求項１４】
前記所定のマルチキャストセッションに登録するための要求は、ブロードキャストおよびマルチキャストサービス（ＢＣＭＣＳ）フロー登録メッセージである請求項１記載の方法。
【請求項１５】
前記第２の搬送波上の前記トラフィックチャネルが割り振られるための接続要求を前記アクセス端末が送る必要がないように、前記送信ステップを実行するための要求として、前記所定のマルチキャストセッションに登録するための要求が解釈される請求項１記載の方法。
【請求項１６】
ワイヤレス通信ネットワーク中のマルチキャストセッションに参加するために、搬送波を切り替える方法において、
アクセス端末には第１の搬送波上のトラフィックチャネルが割り振られており、所定のマルチキャストセッションに登録するための要求を前記アクセス端末から送ることと、
前記所定のマルチキャストセッションが前記第１の搬送波上で運ばれておらず、第２の搬送波上で運ばれている場合に、前記第２の搬送波上のトラフィックチャネルを前記アクセス端末に割り振るトラフィックチャネル割り当て（ＴＣＡ）メッセージを受信することとを含む方法。
【請求項１７】
前記第２の搬送波に同調することをさらに含む請求項１６記載の方法。
【請求項１８】
前記第２の搬送波上でスケジューリングメッセージを受信することをさらに含み、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項１７記載の方法。
【請求項１９】
前記スケジューリングメッセージは、前記所定のマルチキャストセッションに関係するブロードキャストおよびマルチキャストサービス（ＢＣＭＣＳ）フロー識別子（ＩＤ）をリストアップすることにより前記所定のマルチキャストセッションを識別する、ブロードキャストオーバーヘッドメッセージ（ＢＯＭ）であり、前記ＢＯＭは、前記リストアップされたＢＣＭＣＳフローＩＤに関係する、インターレース多重化（ＩＭ）対と、送信フォーマットとをさらに含む請求項１８記載の方法。
【請求項２０】
前記第１の搬送波上の前記トラフィックチャネルを通して運ばれる前記アクセス端末における通信セッションを前記第２の搬送波上の前記トラフィックチャネルに遷移することをさらに含み、前記第２の搬送波上の前記トラフィックチャネルは、前記受信したＴＣＡメッセージにより割り振られる請求項１７記載の方法。
【請求項２１】
前記所定のマルチキャストセッションに関係するマルチキャストメッセージを前記第２の搬送波のダウンリンクチャネル上で受信することと、
前記受信したスケジューリングメッセージに基づいて、前記受信したマルチキャストメッセージをデコードすることとをさらに含む請求項１８記載の方法。
【請求項２２】
前記所定のマルチキャストセッションを通知する、前記第１の搬送波上で以前に受信した通知メッセージに応答して、前記送るステップが実行される請求項１６記載の方法。
【請求項２３】
前記所定のマルチキャストセッションを識別し、前記所定のマルチキャストセッションが前記第２の搬送波上で運ばれていることを示す、前記第１の搬送波上で以前に受信したスケジューリングメッセージに応答して、前記送るステップが実行される請求項１６記載の方法。
【請求項２４】
前記スケジューリングメッセージは、前記所定のマルチキャストセッションに関係するブロードキャストおよびマルチキャストサービス（ＢＣＭＣＳ）フロー識別子（ＩＤ）をリストアップすることにより前記所定のマルチキャストセッションを識別する、ブロードキャストオーバーヘッドメッセージ（ＢＯＭ）である請求項２３記載の方法。
【請求項２５】
前記第１の搬送波上で前記ＴＣＡメッセージを受信する請求項１６記載の方法。
【請求項２６】
前記ＴＣＡメッセージを受信する前に、前記所定のマルチキャストセッションを識別し、前記所定のマルチキャストセッションが前記第２の搬送波上で運ばれていることを示すスケジューリングメッセージを、前記第１の搬送波上で受信することをさらに含む請求項１６記載の方法。
【請求項２７】
前記受信したスケジューリングメッセージに応答して、前記送るステップが前記登録するための要求を送る請求項２６記載の方法。
【請求項２８】
前記送るステップの後に、所定のタイマー期間を有するタイマーを開始することをさらに含む請求項１６記載の方法。
【請求項２９】
前記ＴＣＡメッセージを受信する前に前記タイマーが満期になった場合に、前記第２の搬送波上のトラフィックチャネルを割り振るＴＣＡメッセージを受信する前に、前記第１の搬送波上のトラフィックチャネルを解放することをさらに含む請求項２８記載の方法。
【請求項３０】
前記タイマーが満期になる前に、前記第２の搬送波上のトラフィックチャネルを割り振るＴＣＡメッセージを受信する請求項２８記載の方法。
【請求項３１】
前記第２の搬送波に同調することと、
前記第１の搬送波上の前記トラフィックチャネルを通して運ばれる前記アクセス端末における通信セッションを前記第２の搬送波上の前記トラフィックチャネルに遷移することとをさらに含む請求項３０記載の方法。
【請求項３２】
前記所定のマルチキャストセッションに登録するための要求は、ブロードキャストおよびマルチキャストサービス（ＢＣＭＣＳ）フロー登録メッセージである請求項１６記載の方法。
【請求項３３】
前記第２の搬送波上の前記トラフィックチャネルが割り振られるための接続要求を前記アクセス端末が送る必要がないように、前記送信ステップを実行するための要求として、前記所定のマルチキャストセッションに登録するための要求がアクセスネットワークにおいて解釈される請求項１６記載の方法。
【請求項３４】
ワイヤレス通信ネットワーク中のアクセスネットワークにおいて、
アクセス端末には第１の搬送波上のトラフィックチャネルが割り振られており、所定のマルチキャストセッションに登録するための要求を前記アクセス端末から受信する手段と、
前記所定のマルチキャストセッションが前記第１の搬送波上で運ばれているか否かを決定する手段と、
前記所定のマルチキャストセッションは前記第１の搬送波上で運ばれておらず、第２の搬送波上で運ばれていると前記決定する手段が決定した場合に、前記第２の搬送波上のトラフィックチャネルを前記アクセス端末に割り振るトラフィックチャネル割り当てメッセージを送信する手段とを具備するアクセスネットワーク。
【請求項３５】
前記トラフィックチャネル割り当てメッセージの前記送信の後に、前記第２の搬送波上で前記アクセス端末にスケジューリングメッセージを送信する手段をさらに具備し、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項３４記載のアクセスネットワーク。
【請求項３６】
少なくとも前記アクセス端末の担当セクター内で、前記所定のマルチキャストセッションに関係するマルチキャストメッセージを前記第２の搬送波上で送信する手段をさらに具備する請求項３４記載のアクセスネットワーク。
【請求項３７】
前記トラフィックチャネル割り当てメッセージの前記送信の前に、前記第１の搬送波上で前記アクセス端末にスケジューリングメッセージを送信する手段をさらに具備し、前記スケジューリングメッセージは、前記所定のマルチキャストセッションを識別し、前記所定のマルチキャストセッションが前記第２の搬送波上で運ばれていることを示す請求項３４記載のアクセスネットワーク。
【請求項３８】
ワイヤレス通信ネットワーク中のアクセス端末において、
アクセス端末には第１の搬送波上のトラフィックチャネルが割り振られており、所定のマルチキャストセッションに登録するための要求を送る手段と、
前記所定のマルチキャストセッションが前記第１の搬送波上で運ばれておらず、第２の搬送波上で運ばれている場合に、前記第２の搬送波上のトラフィックチャネルを前記アクセス端末に割り振るトラフィックチャネル割り当て（ＴＣＡ）メッセージを受信する手段とを具備するアクセス端末。
【請求項３９】
前記第２の搬送波に同調する手段をさらに具備する請求項３８記載のアクセス端末。
【請求項４０】
前記第１の搬送波上の前記トラフィックチャネルを通して運ばれる前記アクセス端末における通信セッションを前記第２の搬送波上の前記トラフィックチャネルに遷移する手段をさらに具備し、前記第２の搬送波上の前記トラフィックチャネルは、前記受信したＴＣＡメッセージにより割り振られる請求項３９記載のアクセス端末。
【請求項４１】
前記第２の搬送波上でスケジューリングメッセージを受信する手段をさらに具備し、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項３９記載のアクセス端末。
【請求項４２】
前記所定のマルチキャストセッションに関係するマルチキャストメッセージを前記第２の搬送波のダウンリンクチャネル上で受信する手段と、
前記受信したスケジューリングメッセージに基づいて、前記受信したマルチキャストメッセージをデコードする手段とをさらに具備する請求項３９記載のアクセス端末。
【請求項４３】
ワイヤレス通信ネットワーク中のアクセスネットワークにおいて、
アクセス端末には第１の搬送波上のトラフィックチャネルが割り振られており、所定のマルチキャストセッションに登録するための要求を前記アクセス端末から受信するように構成されている論理と、
前記所定のマルチキャストセッションが前記第１の搬送波上で運ばれているか否かを決定するように構成されている論理と、
前記所定のマルチキャストセッションは前記第１の搬送波上で運ばれておらず、第２の搬送波上で運ばれていると前記決定するように構成されている論理が決定した場合に、前記第２の搬送波上のトラフィックチャネルを前記アクセス端末に割り振るトラフィックチャネル割り当てメッセージを送信するように構成されている論理とを具備するアクセスネットワーク。
【請求項４４】
前記トラフィックチャネル割り当てメッセージの前記送信の後に、前記第２の搬送波上で前記アクセス端末にスケジューリングメッセージを送信するように構成されている論理をさらに具備し、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項４３記載のアクセスネットワーク。
【請求項４５】
少なくとも前記アクセス端末の担当セクター内で、前記所定のマルチキャストセッションに関係するマルチキャストメッセージを前記第２の搬送波上で送信するように構成されている論理をさらに具備する請求項４３記載のアクセスネットワーク。
【請求項４６】
前記トラフィックチャネル割り当てメッセージの前記送信の前に、前記第１の搬送波上で前記アクセス端末にスケジューリングメッセージを送信するように構成されている論理をさらに具備し、前記スケジューリングメッセージは、前記所定のマルチキャストセッションを識別し、前記所定のマルチキャストセッションが前記第２の搬送波上で運ばれていることを示す請求項４３記載のアクセスネットワーク。
【請求項４７】
ワイヤレス通信ネットワーク中のアクセス端末において、
前記アクセス端末には第１の搬送波上のトラフィックチャネルが割り振られており、所定のマルチキャストセッションに登録するための要求を送るように構成されている論理と、
前記所定のマルチキャストセッションが前記第１の搬送波上で運ばれておらず、第２の搬送波上で運ばれている場合に、前記アクセス端末に前記第２の搬送波上のトラフィックチャネルを割り振るトラフィックチャネル割り当て（ＴＣＡ）メッセージを受信するように構成されている論理とを具備するアクセス端末。
【請求項４８】
前記第２の搬送波に同調するように構成されている論理をさらに具備する請求項４７記載のアクセス端末。
【請求項４９】
前記第１の搬送波上の前記トラフィックチャネルを通して運ばれる前記アクセス端末における通信セッションを前記第２の搬送波上の前記トラフィックチャネルに遷移するように構成されている論理をさらに具備し、前記第２の搬送波上の前記トラフィックチャネルは、前記受信したＴＣＡメッセージにより割り振られる請求項４８記載のアクセス端末。
【請求項５０】
前記第２の搬送波上でスケジューリングメッセージを受信するように構成されている論理をさらに具備し、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項４８記載のアクセス端末。
【請求項５１】
前記所定のマルチキャストセッションに関係するマルチキャストメッセージを前記第２の搬送波のダウンリンクチャネル上で受信するように構成されている論理と、
前記受信したスケジューリングメッセージに基づいて、前記受信したマルチキャストメッセージをデコードするように構成されている論理とをさらに具備する請求項４８記載のアクセス端末。
【請求項５２】
ワイヤレス通信ネットワーク中のアクセスネットワークにより実行されるときに、前記アクセスネットワークに動作を実行させる命令を含むコンピュータ読み取り可能媒体において、
アクセス端末には第１の搬送波上のトラフィックチャネルが割り振られており、
前記命令は、
所定のマルチキャストセッションに登録するための要求を前記アクセス端末から受信するためのプログラムコードと、
前記所定のマルチキャストセッションが前記第１の搬送波上で運ばれているか否かを決定するためのプログラムコードと、
前記所定のマルチキャストセッションは前記第１の搬送波上で運ばれておらず、第２の搬送波上で運ばれていると前記決定するためのプログラムコードが決定した場合に、前記第２の搬送波上のトラフィックチャネルを前記アクセス端末に割り振るトラフィックチャネル割り当てメッセージを送信するためのプログラムコードとを含むコンピュータ読み取り可能媒体。
【請求項５３】
前記トラフィックチャネル割り当てメッセージの前記送信の後に、前記第２の搬送波上で前記アクセス端末にスケジューリングメッセージを送信するためのプログラムコードをさらに具備し、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項５２記載のコンピュータ読み取り可能媒体。
【請求項５４】
少なくとも前記アクセス端末の担当セクター内で、前記所定のマルチキャストセッションに関係するマルチキャストメッセージを前記第２の搬送波上で送信するためのプログラムコードをさらに含む請求項５３記載のコンピュータ読み取り可能媒体。
【請求項５５】
前記トラフィックチャネル割り当てメッセージの前記送信の前に、前記第１の搬送波上で前記アクセス端末にスケジューリングメッセージを送信するためのプログラムコードをさらに含み、前記スケジューリングメッセージは、前記所定のマルチキャストセッションを識別し、前記所定のマルチキャストセッションが前記第２の搬送波上で運ばれていることを示す請求項５３記載のコンピュータ読み取り可能媒体。
【請求項５６】
ワイヤレス通信ネットワーク中のアクセス端末により実行されるときに、前記アクセス端末に動作を実行させる命令を含むコンピュータ読み取り可能媒体において、
前記アクセス端末には第１の搬送波上のトラフィックチャネルが割り振られており、
前記命令は、
所定のマルチキャストセッションに登録するための要求を送るためのプログラムコードと、
前記所定のマルチキャストセッションが前記第１の搬送波上で運ばれておらず、第２の搬送波上で運ばれている場合に、前記第２の搬送波上の前記トラフィックチャネルを前記アクセス端末に割り振るトラフィックチャネル割り当て（ＴＣＡ）メッセージを受信するためのプログラムコードとを含むコンピュータ読み取り可能媒体。
【請求項５７】
前記第２の搬送波に同調するためのプログラムコードをさらに含む請求項５６記載のコンピュータ読み取り可能媒体。
【請求項５８】
前記第１の搬送波上の前記トラフィックチャネルを通して運ばれる前記アクセス端末における通信セッションを前記第２の搬送波上の前記トラフィックチャネルに遷移するためのプログラムコードをさらに含み、前記第２の搬送波上の前記トラフィックチャネルは、前記受信したＴＣＡメッセージにより割り振られる請求項５７記載のコンピュータ読み取り可能媒体。
【請求項５９】
前記第２の搬送波上でスケジューリングメッセージを受信するためのプログラムコードをさらに含み、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す請求項５７記載のコンピュータ読み取り可能媒体。
【請求項６０】
前記所定のマルチキャストセッションに関係するマルチキャストメッセージを前記第２の搬送波のダウンリンクチャネル上で受信するためのプログラムコードと、
前記受信したスケジューリングメッセージに基づいて、前記受信したマルチキャストメッセージをデコードするためのプログラムコードとをさらに含む請求項５７記載のコンピュータ読み取り可能媒体。
【手続補正２】
【補正対象書類名】明細書
【補正対象項目名】００５８
【補正方法】変更
【補正の内容】
【００５８】
先の開示は本発明の例示的な実施形態を示していたが、添付の特許請求の範囲により規定されているような本発明の範囲から逸脱することなく、ここで、さまざまな変更および改良を行うことができることに留意すべきである。ここで記述した本発明の実施形態にしたがった、方法の機能、ステップおよび／またはアクションは、何らかの特定の順序で実行される必要はない。さらに、本発明のエレメントは、単数で記述またはクレームされているかもしれないが、単数への限定が明示的に述べられていない限り、複数が意図されている。
以下に、本願出願時の特許請求の範囲に記載された発明を付記する。
〔１〕ワイヤレス通信ネットワーク中のマルチキャストセッションをサポートする方法において、
アクセス端末には第１の搬送波上のトラフィックチャネルが割り振られており、所定のマルチキャストセッションに登録するための要求を前記アクセス端末から受信することと、
前記所定のマルチキャストセッションが前記第１の搬送波上で運ばれているか否かを決定することと、
前記所定のマルチキャストセッションは前記第１の搬送波上で運ばれておらず、第２の搬送波上で運ばれていると前記決定ステップが決定した場合に、前記第２の搬送波上のトラフィックチャネルを前記アクセス端末に割り振るトラフィックチャネル割り当てメッセージを送信することとを含む方法。
〔２〕前記トラフィックチャネル割り当てメッセージの前記送信の後に、前記第２の搬送波上で前記アクセス端末にスケジューリングメッセージを送信することをさらに含み、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す上記〔１〕記載の方法。
〔３〕前記スケジューリングメッセージは、前記所定のマルチキャストセッションに関係するブロードキャストおよびマルチキャストサービス（ＢＣＭＣＳ）フロー識別子（ＩＤ）をリストアップすることにより前記所定のマルチキャストセッションを識別する、ブロードキャストオーバーヘッドメッセージ（ＢＯＭ）であり、前記ＢＯＭは、前記リストアップされたＢＣＭＣＳフローＩＤに関係する、インターレース多重化（ＩＭ）対と、送信フォーマットとをさらに含む上記〔２〕記載の方法。
〔４〕少なくとも前記アクセス端末の担当セクター内で、前記所定のマルチキャストセッションに関係するマルチキャストメッセージを前記第２の搬送波上で送信することをさらに含む上記〔１〕記載の方法。
〔５〕前記所定のマルチキャストセッションを通知する、前記第１の搬送波上で以前に送られた通知メッセージに応答して、前記所定のマルチキャストセッションに登録するための要求を前記アクセス端末から受信する上記〔１〕記載の方法。
〔６〕前記所定のマルチキャストセッションを識別し、前記所定のマルチキャストセッションが前記第２の搬送波上で運ばれていることを示す、前記第１の搬送波上で以前に送られたスケジューリングメッセージに応答して、前記所定のマルチキャストセッションに登録するための要求を前記アクセス端末から受信する上記〔１〕記載の方法。
〔７〕前記以前に送られたスケジューリングメッセージは、前記所定のマルチキャストセッションに関係するブロードキャストおよびマルチキャストサービス（ＢＣＭＣＳ）フロー識別子（ＩＤ）をリストアップすることにより前記所定のマルチキャストセッションを識別する、ブロードキャストオーバーヘッドメッセージ（ＢＯＭ）である上記〔６〕記載の方法。
〔８〕前記送信ステップは、前記第１の搬送波上で前記トラフィックチャネル割り当てメッセージを送信する上記〔１〕記載の方法。
〔９〕前記第２の搬送波が少なくとも１つの利用可能なトラフィックチャネルを含むか否かを決定することをさらに含む上記〔１〕記載の方法。
〔１０〕前記第２の搬送波が少なくとも１つの利用可能なトラフィックチャネルを含むと前記決定ステップが決定した後にのみ、前記送信ステップが実行される上記〔９〕記載の方法。
〔１１〕前記トラフィックチャネル割り当てメッセージの前記送信の前に、前記第１の搬送波上で前記アクセス端末にスケジューリングメッセージを送信することをさらに含み、前記スケジューリングメッセージは、前記所定のマルチキャストセッションを識別し、前記所定のマルチキャストセッションが前記第２の搬送波上で運ばれていることを示す上記〔１〕記載の方法。
〔１２〕前記受信ステップは、前記スケジューリングメッセージに応答して、前記登録するための要求を受信する上記〔１１〕記載の方法。
〔１３〕前記所定のマルチキャストセッションが前記第１の搬送波上で運ばれておらず、前記第２の搬送波上で運ばれていると前記決定ステップが決定した場合にのみ、前記送信ステップが実行される上記〔１〕記載の方法。
〔１４〕前記所定のマルチキャストセッションに登録するための要求は、ブロードキャストおよびマルチキャストサービス（ＢＣＭＣＳ）フロー登録メッセージである上記〔１〕記載の方法。
〔１５〕前記第２の搬送波上の前記トラフィックチャネルが割り振られるための接続要求を前記アクセス端末が送る必要がないように、前記送信ステップを実行するための要求として、前記所定のマルチキャストセッションに登録するための要求が解釈される上記〔１〕記載の方法。
〔１６〕ワイヤレス通信ネットワーク中のマルチキャストセッションに参加するために、搬送波を切り替える方法において、
アクセス端末には第１の搬送波上のトラフィックチャネルが割り振られており、所定のマルチキャストセッションに登録するための要求を前記アクセス端末から送ることと、
前記所定のマルチキャストセッションが前記第１の搬送波上で運ばれておらず、第２の搬送波上で運ばれている場合に、前記第２の搬送波上のトラフィックチャネルを前記アクセス端末に割り振るトラフィックチャネル割り当て（ＴＣＡ）メッセージを受信することとを含む方法。
〔１７〕前記第２の搬送波に同調することをさらに含む上記〔１６〕記載の方法。
〔１８〕前記第２の搬送波上でスケジューリングメッセージを受信することをさらに含み、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す上記〔１７〕記載の方法。
〔１９〕前記スケジューリングメッセージは、前記所定のマルチキャストセッションに関係するブロードキャストおよびマルチキャストサービス（ＢＣＭＣＳ）フロー識別子（ＩＤ）をリストアップすることにより前記所定のマルチキャストセッションを識別する、ブロードキャストオーバーヘッドメッセージ（ＢＯＭ）であり、前記ＢＯＭは、前記リストアップされたＢＣＭＣＳフローＩＤに関係する、インターレース多重化（ＩＭ）対と、送信フォーマットとをさらに含む上記〔１８〕記載の方法。
〔２０〕前記第１の搬送波上の前記トラフィックチャネルを通して運ばれる前記アクセス端末における通信セッションを前記第２のチャネル上の前記トラフィックチャネルに遷移することをさらに含み、前記第２のチャネル上の前記トラフィックチャネルは、前記受信したＴＣＡメッセージにより割り振られる上記〔１７〕記載の方法。
〔２１〕前記所定のマルチキャストセッションに関係するマルチキャストメッセージを前記第２の搬送波のダウンリンクチャネル上で受信することと、
前記受信したスケジューリングメッセージに基づいて、前記受信したマルチキャストメッセージをデコードすることとをさらに含む上記〔１８〕記載の方法。
〔２２〕前記所定のマルチキャストセッションを通知する、前記第１の搬送波上で以前に受信した通知メッセージに応答して、前記送るステップが実行される上記〔１６〕記載の方法。
〔２３〕前記所定のマルチキャストセッションを識別し、前記所定のマルチキャストセッションが前記第２の搬送波上で運ばれていることを示す、前記第１の搬送波上で以前に受信したスケジューリングメッセージに応答して、前記送るステップが実行される上記〔１６〕記載の方法。
〔２４〕前記スケジューリングメッセージは、前記所定のマルチキャストセッションに関係するブロードキャストおよびマルチキャストサービス（ＢＣＭＣＳ）フロー識別子（ＩＤ）をリストアップすることにより前記所定のマルチキャストセッションを識別する、ブロードキャストオーバーヘッドメッセージ（ＢＯＭ）である上記〔２３〕記載の方法。
〔２５〕前記第１の搬送波上で前記ＴＣＡメッセージを受信する上記〔１６〕記載の方法。
〔２６〕前記ＴＣＡメッセージを受信する前に、前記所定のマルチキャストセッションを識別し、前記所定のマルチキャストセッションが前記第２の搬送波上で運ばれていることを示すスケジューリングメッセージを、前記第１の搬送波上で受信することをさらに含む上記〔１６〕記載の方法。
〔２７〕前記受信したスケジューリングメッセージに応答して、前記送るステップが前記登録するための要求を送る上記〔２６〕記載の方法。
〔２８〕前記送るステップの後に、所定のタイマー期間を有するタイマーを開始することをさらに含む上記〔１６〕記載の方法。
〔２９〕前記ＴＣＡメッセージを受信する前に前記タイマーが満期になった場合に、前記第２の搬送波上のトラフィックチャネルを割り振るＴＣＡメッセージを受信する前に、前記第１の搬送波上のトラフィックチャネルを解放することをさらに含む上記〔２８〕記載の方法。
〔３０〕前記タイマーが満期になる前に、前記第２の搬送波上のトラフィックチャネルを割り振るＴＣＡメッセージを受信する上記〔２８〕記載の方法。
〔３１〕前記第２の搬送波に同調することと、
前記第１の搬送波上の前記トラフィックチャネルを通して運ばれる前記アクセス端末における通信セッションを前記第２のチャネル上の前記トラフィックチャネルに遷移することとをさらに含む上記〔３０〕記載の方法。
〔３２〕前記所定のマルチキャストセッションに登録するための要求は、ブロードキャストおよびマルチキャストサービス（ＢＣＭＣＳ）フロー登録メッセージである上記〔１６〕記載の方法。
〔３３〕前記第２の搬送波上の前記トラフィックチャネルが割り振られるための接続要求を前記アクセス端末が送る必要がないように、前記第１の送信ステップを実行するための要求として、前記所定のマルチキャストセッションに登録するための要求がアクセスネットワークにおいて解釈される上記〔１６〕記載の方法。
〔３４〕ワイヤレス通信ネットワーク中のアクセスネットワークにおいて、
アクセス端末には第１の搬送波上のトラフィックチャネルが割り振られており、所定のマルチキャストセッションに登録するための要求を前記アクセス端末から受信する手段と、
前記所定のマルチキャストセッションが前記第１の搬送波上で運ばれているか否かを決定する手段と、
前記所定のマルチキャストセッションは前記第１の搬送波上で運ばれておらず、第２の搬送波上で運ばれていると前記決定する手段が決定した場合に、前記第２の搬送波上のトラフィックチャネルを前記アクセス端末に割り振るトラフィックチャネル割り当てメッセージを送信する手段とを具備するアクセスネットワーク。
〔３５〕前記トラフィックチャネル割り当てメッセージの前記送信の後に、前記第２の搬送波上で前記アクセス端末にスケジューリングメッセージを送信する手段をさらに具備し、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す上記〔３４〕記載のアクセスネットワーク。
〔３６〕少なくとも前記アクセス端末の担当セクター内で、前記所定のマルチキャストセッションに関係するマルチキャストメッセージを前記第２の搬送波上で送信する手段をさらに具備する上記〔３４〕記載のアクセスネットワーク。
〔３７〕前記トラフィックチャネル割り当てメッセージの前記送信の前に、前記第１の搬送波上で前記アクセス端末にスケジューリングメッセージを送信する手段をさらに具備し、前記スケジューリングメッセージは、前記所定のマルチキャストセッションを識別し、前記所定のマルチキャストセッションが前記第２の搬送波上で運ばれていることを示す上記〔３４〕記載のアクセスネットワーク。
〔３８〕ワイヤレス通信ネットワーク中のアクセス端末において、
アクセス端末には第１の搬送波上のトラフィックチャネルが割り振られており、所定のマルチキャストセッションに登録するための要求を送る手段と、
前記所定のマルチキャストセッションが前記第１の搬送波上で運ばれておらず、第２の搬送波上で運ばれている場合に、前記第２の搬送波上のトラフィックチャネルを前記アクセス端末に割り振るトラフィックチャネル割り当て（ＴＣＡ）メッセージを受信する手段とを具備するアクセス端末。
〔３９〕前記第２の搬送波に同調する手段をさらに具備する上記〔３８〕記載のアクセス端末。
〔４０〕前記第１の搬送波上の前記トラフィックチャネルを通して運ばれる前記アクセス端末における通信セッションを前記第２のチャネル上の前記トラフィックチャネルに遷移する手段をさらに具備し、前記第２のチャネル上の前記トラフィックチャネルは、前記受信したＴＣＡメッセージにより割り振られる上記〔３９〕記載のアクセス端末。
〔４１〕前記第２の搬送波上でスケジューリングメッセージを受信する手段をさらに具備し、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す上記〔３９〕記載のアクセス端末。
〔４２〕前記所定のマルチキャストセッションに関係するマルチキャストメッセージを前記第２の搬送波のダウンリンクチャネル上で受信する手段と、
前記受信したスケジューリングメッセージに基づいて、前記受信したマルチキャストメッセージをデコードする手段とをさらに具備する上記〔３９〕記載のアクセス端末。
〔４３〕ワイヤレス通信ネットワーク中のアクセスネットワークにおいて、
アクセス端末には第１の搬送波上のトラフィックチャネルが割り振られており、所定のマルチキャストセッションに登録するための要求を前記アクセス端末から受信するように構成されている論理と、
前記所定のマルチキャストセッションが前記第１の搬送波上で運ばれているか否かを決定するように構成されている論理と、
前記所定のマルチキャストセッションは前記第１の搬送波上で運ばれておらず、第２の搬送波上で運ばれていると前記決定するように構成されている論理が決定した場合に、前記第２の搬送波上のトラフィックチャネルを前記アクセス端末に割り振るトラフィックチャネル割り当てメッセージを送信するように構成されている論理とを具備するアクセスネットワーク。
〔４４〕前記トラフィックチャネル割り当てメッセージの前記送信の後に、前記第２の搬送波上で前記アクセス端末にスケジューリングメッセージを送信するように構成されている論理をさらに具備し、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す上記〔４３〕記載のアクセスネットワーク。
〔４５〕少なくとも前記アクセス端末の担当セクター内で、前記所定のマルチキャストセッションに関係するマルチキャストメッセージを前記第２の搬送波上で送信するように構成されている論理をさらに具備する上記〔４３〕記載のアクセスネットワーク。
〔４６〕前記トラフィックチャネル割り当てメッセージの前記送信の前に、前記第１の搬送波上で前記アクセス端末にスケジューリングメッセージを送信するように構成されている論理をさらに具備し、前記スケジューリングメッセージは、前記所定のマルチキャストセッションを識別し、前記所定のマルチキャストセッションが前記第２の搬送波上で運ばれていることを示す上記〔４３〕記載のアクセスネットワーク。
〔４７〕ワイヤレス通信ネットワーク中のアクセス端末において、
前記アクセス端末には第１の搬送波上のトラフィックチャネルが割り振られており、所定のマルチキャストセッションに登録するための要求を送るように構成されている論理と、
前記所定のマルチキャストセッションが前記第１の搬送波上で運ばれておらず、第２の搬送波上で運ばれている場合に、前記アクセス端末に前記第２の搬送波上のトラフィックチャネルを割り振るトラフィックチャネル割り当て（ＴＣＡ）メッセージを受信するように構成されている論理とを具備するアクセス端末。
〔４８〕前記第２の搬送波に同調するように構成されている論理をさらに具備する上記〔４７〕のアクセス端末。
〔４９〕前記第１の搬送波上の前記トラフィックチャネルを通して運ばれる前記アクセス端末における通信セッションを前記第２のチャネル上の前記トラフィックチャネルに遷移するように構成されている論理をさらに具備し、前記第２のチャネル上の前記トラフィックチャネルは、前記受信したＴＣＡメッセージにより割り振られる上記〔４８〕記載のアクセス端末。
〔５０〕前記第２の搬送波上でスケジューリングメッセージを受信するように構成されている論理をさらに具備し、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す上記〔４８〕記載のアクセス端末。
〔５１〕前記所定のマルチキャストセッションに関係するマルチキャストメッセージを前記第２の搬送波のダウンリンクチャネル上で受信するように構成されている論理と、
前記受信したスケジューリングメッセージに基づいて、前記受信したマルチキャストメッセージをデコードするように構成されている論理とをさらに具備する上記〔４８〕記載のアクセス端末。
〔５２〕ワイヤレス通信ネットワーク中のアクセスネットワークにより実行されるときに、前記アクセスネットワークに動作を実行させる命令を含むコンピュータ読み取り可能媒体において、
アクセス端末には第１の搬送波上のトラフィックチャネルが割り振られており、
前記命令は、
所定のマルチキャストセッションに登録するための要求を前記アクセス端末から受信するためのプログラムコードと、
前記所定のマルチキャストセッションが前記第１の搬送波上で運ばれているか否かを決定するためのプログラムコードと、
前記所定のマルチキャストセッションは前記第１の搬送波上で運ばれておらず、第２の搬送波上で運ばれていると前記決定するためのプログラムコードが決定した場合に、前記第２の搬送波上のトラフィックチャネルを前記アクセス端末に割り振るトラフィックチャネル割り当てメッセージを送信するためのプログラムコードとを含むコンピュータ読み取り可能媒体。
〔５３〕前記トラフィックチャネル割り当てメッセージの前記送信の後に、前記第２の搬送波上で前記アクセス端末にスケジューリングメッセージを送信するように構成されている論理をさらに具備し、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す上記〔５２〕記載のコンピュータ読み取り可能媒体。
〔５４〕少なくとも前記アクセス端末の担当セクター内で、前記所定のマルチキャストセッションに関係するマルチキャストメッセージを前記第２の搬送波上で送信するためのプログラムコードをさらに含む上記〔５３〕記載のコンピュータ読み取り可能媒体。
〔５５〕前記トラフィックチャネル割り当てメッセージの前記送信の前に、前記第１の搬送波上で前記アクセス端末にスケジューリングメッセージを送信するためのプログラムコードをさらに含み、前記スケジューリングメッセージは、前記所定のマルチキャストセッションを識別し、前記所定のマルチキャストセッションが前記第２の搬送波上で運ばれていることを示す上記〔５３〕記載のコンピュータ読み取り可能媒体。
〔５６〕ワイヤレス通信ネットワーク中のアクセス端末により実行されるときに、前記アクセス端末に動作を実行させる命令を含むコンピュータ読み取り可能媒体において、
前記アクセス端末には第１の搬送波上のトラフィックチャネルが割り振られており、
前記命令は、
所定のマルチキャストセッションに登録するための要求を送るためのプログラムコードと、
前記所定のマルチキャストセッションが前記第１の搬送波上で運ばれておらず、第２の搬送波上で運ばれている場合に、前記第２の搬送波上の前記トラフィックチャネルを前記アクセス端末に割り振るトラフィックチャネル割り当て（ＴＣＡ）メッセージを受信するためのプログラムコードとを含むコンピュータ読み取り可能媒体。
〔５７〕前記第２の搬送波に同調するためのプログラムコードをさらに含む上記〔５６〕記載のコンピュータ読み取り可能媒体。
〔５８〕前記第１の搬送波上の前記トラフィックチャネルを通して運ばれる前記アクセス端末における通信セッションを前記第２のチャネル上の前記トラフィックチャネルに遷移するためのプログラムコードをさらに含み、前記第２のチャネル上の前記トラフィックチャネルは、前記受信したＴＣＡメッセージにより割り振られる上記〔５７〕記載のコンピュータ読み取り可能媒体。
〔５９〕前記第２の搬送波上でスケジューリングメッセージを受信するためのプログラムコードをさらに含み、前記スケジューリングメッセージは、前記所定のマルチキャストセッションを識別し、前記第２の搬送波のダウンリンクチャネル上の、前記所定のマルチキャストセッションに関係するマルチキャストメッセージをデコードできる方法を示す上記〔５７〕記載のコンピュータ読み取り可能媒体。
〔６０〕前記所定のマルチキャストセッションに関係するマルチキャストメッセージを前記第２の搬送波のダウンリンクチャネル上で受信するためのプログラムコードと、
前記受信したスケジューリングメッセージに基づいて、前記受信したマルチキャストメッセージをデコードするためのプログラムコードとをさらに含む上記〔５７〕記載のコンピュータ読み取り可能媒体。
【国際調査報告】
2011517901.tif 000009
2011517901.tif 000010
2011517901.tif 000011